(57)【要約】  復調基準信号（ＤＭＲＳ）選択のための基地局装置（ｅＮＢ）が記載される。ｅＮＢは、プロセッサと、プロセッサと電子通信を行うメモリに記憶された命令とを含む。ｅＮＢは、変調および符号化方式（ＭＣＳ）に基づいてＤＭＲＳ構成を確定する。ｅＮＢは、下りリンク制御情報（ＤＣＩ）も確定する。ＤＣＩは、ＤＭＲＳ構成を指示するシグナリングを含む。ｅＮＢは、さらにＤＣＩを送信する。
2016518035.tif 000002
【特許請求の範囲】
【請求項１】
復調参照信号（ＤＭＲＳ）選択のための基地局装置（ｅＮＢ）であって、
プロセッサと；
前記プロセッサと電子通信を行うメモリとを備え、前記メモリに記憶された命令は、
変調および符号化方式（ＭＣＳ）に基づいてＤＭＲＳ構成を確定し；
下りリンク制御情報（ＤＣＩ）を確定し、前記ＤＣＩは、前記ＤＭＲＳ構成を指示するシグナリングを備え；
前記ＤＣＩを送信する
ために実行可能である、
ｅＮＢ。
【請求項２】
前記ＤＭＲＳ構成は、ＤＭＲＳパターンおよびＤＭＲＳ系列シンボル変調次数の少なくとも一方または両方が異なる複数のＤＭＲＳ構成のうちから確定される、請求項１に記載のｅＮＢ。
【請求項３】
前記ＤＭＲＳ構成を確定することは、前記ＭＣＳに基づいてＤＭＲＳ構成インデックスを確定することを備え、前記ＤＭＲＳ構成は、前記ＤＭＲＳ構成インデックスに基づいて確定される、請求項１に記載のｅＮＢ。
【請求項４】
前記ＤＭＲＳ構成を確定することは、ＭＣＳインデックスと物理リソースブロックの数（ＮＰＲＢ）とを確定することを備え、前記ＤＭＲＳ構成は、前記ＭＣＳインデックスと前記ＮＰＲＢとに基づいて確定される、請求項１に記載のｅＮＢ。
【請求項５】
前記ＭＣＳインデックスは、単一コードワード送信と関連する単一のコードワードに基づく、請求項４に記載のｅＮＢ。
【請求項６】
前記ＭＣＳインデックスは、複数コードワード送信と関連する第１のコードワードおよび第２のコードワードのうちの少なくとも１つに基づく、請求項４に記載のｅＮＢ。
【請求項７】
前記シグナリングは、ＤＭＲＳ構成インデックス、ＭＣＳインデックスおよび物理リソースブロックの数（ＮＰＲＢ）のうちの少なくとも１つを備える、請求項１に記載のｅＮＢ。
【請求項８】
前記ＤＣＩは、物理下りリンク共有チャネル（ＰＤＳＣＨ）送信に対応する下りリンク（ＤＬ）割り当てＤＣＩである、請求項１に記載のｅＮＢ。
【請求項９】
前記ＤＣＩは、物理上りリンク共有チャネル（ＰＵＳＣＨ）送信に対応する上りリンク（ＵＬ）割り当てＤＣＩである、請求項１に記載のｅＮＢ。
【請求項１０】
ＰＵＳＣＨ送信をスケジュールし；
ＰＵＳＣＨ送信を受信し；
前記ＤＭＲＳ構成に基づいてチャネルを推定して；
前記ＤＭＲＳ構成に基づいて前記ＰＵＳＣＨ送信を復号する
ために実行可能である命令をさらに備える、請求項９に記載のｅＮＢ。
【請求項１１】
復調参照信号（ＤＭＲＳ）選択のための端末装置（ＵＥ）であって、
プロセッサと、
前記プロセッサと電子通信を行うメモリとを備え、前記メモリに記憶された命令は、
下りリンク制御情報（ＤＣＩ）を受信し；
前記ＤＣＩからＤＭＲＳ構成を指示するシグナリングを取得し、前記ＤＭＲＳ構成は、変調および符号化方式（ＭＣＳ）に基づき；
前記シグナリングに基づいて前記ＤＭＲＳ構成を確定する
ために実行可能である、
ＵＥ。
【請求項１２】
前記ＤＭＲＳ構成は、ＤＭＲＳパターンおよびＤＭＲＳ系列シンボル変調次数の少なくとも一方または両方が異なる複数のＤＭＲＳ構成のうちから確定される、請求項１１に記載のＵＥ。
【請求項１３】
前記ＤＭＲＳ構成を確定することは、前記ＤＣＩに基づいてＤＭＲＳ構成インデックスを確定することを備え、前記ＤＭＲＳ構成は、前記ＤＭＲＳ構成インデックスに基づいて確定される、請求項１１に記載のＵＥ。
【請求項１４】
前記ＤＭＲＳ構成を確定するステップは、ＭＣＳインデックスと物理リソースブロックの数（ＮＰＲＢ）とを確定することを備え、前記ＤＭＲＳ構成は、前記ＭＣＳインデックスと前記ＮＰＲＢとに基づいて確定される、請求項１１に記載のＵＥ。
【請求項１５】
前記ＭＣＳインデックスは、単一コードワード送信と関連する単一のコードワードに基づく、請求項１４に記載のＵＥ。
【請求項１６】
前記ＭＣＳインデックスは、複数コードワード送信と関連する第１のコードワードおよび第２のコードワードのうちの少なくとも１つに基づく、請求項１４に記載のＵＥ。
【請求項１７】
前記シグナリングは、ＤＭＲＳ構成インデックス、ＭＣＳインデックスおよび物理リソースブロックの数（ＮＰＲＢ）のうちの少なくとも１つを備える、請求項１１に記載のＵＥ。
【請求項１８】
前記ＤＣＩは、物理下りリンク共有チャネル（ＰＤＳＣＨ）送信に対応する下りリンク（ＤＬ）割り当てＤＣＩである、請求項１１に記載のＵＥ。
【請求項１９】
前記ＤＣＩは、物理上りリンク共有チャネル（ＰＵＳＣＨ）送信に対応する上りリンク（ＵＬ）割り当てＤＣＩである、請求項１１に記載のＵＥ。
【請求項２０】
前記ＤＭＲＳ構成に基づいてＰＵＳＣＨ送信を符号化して；
前記ＰＵＳＣＨ送信を送る
ために実行可能である命令をさらに備える、請求項１９に記載のＵＥ。
【請求項２１】
基地局装置（ｅＮＢ）による復調参照信号（ＤＭＲＳ）選択のための方法であって、
変調および符号化方式（ＭＣＳ）に基づいてＤＭＲＳ構成を確定するステップと；
下りリンク制御情報（ＤＣＩ）を確定するステップであって、前記ＤＣＩは、前記ＤＭＲＳ構成を指示するシグナリングを備える、前記ステップと；
前記ＤＣＩを送信するステップと
を備える、方法。
【請求項２２】
前記ＤＭＲＳ構成を確定するステップは、前記ＭＣＳに基づいてＤＭＲＳ構成インデックスを確定するステップを備え、前記ＤＭＲＳ構成は、前記ＤＭＲＳ構成インデックスに基づいて確定される、請求項２１に記載の方法。
【請求項２３】
前記ＤＭＲＳ構成を確定するステップは、ＭＣＳインデックスと物理リソースブロックの数（ＮＰＲＢ）とを確定するステップを備え、前記ＤＭＲＳ構成は、前記ＭＣＳインデックスと前記ＮＰＲＢとに基づいて確定される、請求項２１に記載の方法。
【請求項２４】
前記シグナリングは、ＤＭＲＳ構成インデックス、ＭＣＳインデックスおよび物理リソースブロックの数（ＮＰＲＢ）のうちの少なくとも１つを備える、請求項２１に記載の方法。
【請求項２５】
端末装置（ＵＥ）による復調参照信号（ＤＭＲＳ）選択のための方法であって、
下りリンク制御情報（ＤＣＩ）を受信するステップと；
前記ＤＣＩからＤＭＲＳ構成を指示するシグナリングを取得するステップであって、前記ＤＭＲＳ構成は、変調および符号化方式（ＭＣＳ）に基づく、前記ステップと；
前記シグナリングに基づいて前記ＤＭＲＳ構成を確定するステップと
を備える、方法。
【請求項２６】
前記ＤＭＲＳ構成を確定するステップは、前記ＤＣＩに基づいてＤＭＲＳ構成インデックスを確定するステップを備え、前記ＤＭＲＳ構成は、前記ＤＭＲＳ構成インデックスに基づいて確定される、請求項２５に記載の方法。
【請求項２７】
前記ＤＭＲＳ構成を確定するステップは、ＭＣＳインデックスと物理リソースブロックの数（ＮＰＲＢ）とを確定するステップを備え、前記ＤＭＲＳ構成は、前記ＭＣＳインデックスと前記ＮＰＲＢとに基づいて確定される、請求項２５に記載の方法。
【請求項２８】
前記シグナリングは、ＤＭＲＳ構成インデックス、ＭＣＳインデックスおよび物理リソースブロックの数（ＮＰＲＢ）のうちの少なくとも１つを備える、請求項２５に記載の方法。
【発明の詳細な説明】
【技術分野】
【０００１】
本開示は、一般に通信システムに関する。より具体的には、本開示は、復調参照信号（ＤＭＲＳ：ｄｅｍｏｄｕｌａｔｉｏｎ  ｒｅｆｅｒｅｎｃｅ  ｓｉｇｎａｌ）選択のためのシステムおよび方法に関する。
【背景技術】
【０００２】
ワイヤレス通信デバイスは、消費者ニーズを満たし、可搬性と便利さとを改善するためにより小さくより強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率を向上させることがいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察により示されるように、通信のフレキシビリティおよび／または効率を向上させるシステムおよび方法が有益であろう。
【発明の概要】
【課題を解決するための手段】
【０００５】
本発明の一実施形態は、復調参照信号（ＤＭＲＳ）選択のための基地局装置（ｅＮＢ：ｅｖｏｌｖｅｄ  Ｎｏｄｅ  Ｂ）を開示し、ｅＮＢは、プロセッサと、プロセッサと電子通信を行うメモリとを備え、メモリに記憶された命令は、変調および符号化方式（ＭＣＳ：ｍｏｄｕｌａｔｉｏｎ  ａｎｄ  ｃｏｄｉｎｇ  ｓｃｈｅｍｅ）に基づいてＤＭＲＳ構成を確定し；下りリンク制御情報（ＤＣＩ：ｄｏｗｎｌｉｎｋ  ｃｏｎｔｒｏｌ  ｉｎｆｏｒｍａｔｉｏｎ）を確定し、ＤＣＩは、ＤＭＲＳ構成を指示するシグナリングを備え；ＤＣＩを送信するために実行可能である。
【０００６】
本発明の別の実施形態は、復調参照信号（ＤＭＲＳ）選択のための端末装置（ＵＥ：ｕｓｅｒ  ｅｑｕｉｐｍｅｎｔ）を開示し、ＵＥは、プロセッサと、プロセッサと電子通信を行うメモリとを備え、メモリに記憶された命令は、下りリンク制御情報（ＤＣＩ）を受信し；ＤＣＩからＤＭＲＳ構成を指示するシグナリングを取得し、ＤＭＲＳ構成は、変調および符号化方式（ＭＣＳ）に基づき；シグナリングに基づいてＤＭＲＳ構成を確定するために実行可能である。
【０００７】
本発明の別の実施形態は、基地局装置（ｅＮＢ）による復調参照信号（ＤＭＲＳ）選択のための方法を開示し、方法は、変調および符号化方式（ＭＣＳ）に基づいてＤＭＲＳ構成を確定するステップと；下りリンク制御情報（ＤＣＩ）を確定するステップであって、ＤＣＩは、ＤＭＲＳ構成を指示するシグナリングを備える、ステップと；ＤＣＩを送信するステップとを備える。
【０００８】
本発明の別の実施形態は、端末装置（ＵＥ）による復調参照信号（ＤＭＲＳ）選択のための方法を開示し、方法は、下りリンク制御情報（ＤＣＩ）を受信するステップと；ＤＣＩからＤＭＲＳ構成を指示するシグナリングを取得するステップであって、ＤＭＲＳ構成は、変調および符号化方式（ＭＣＳ）に基づく、ステップと；シグナリングに基づいてＤＭＲＳ構成を確定するステップとを備える。
【図面の簡単な説明】
【０００９】
【図１】ＤＭＲＳ選択のためのシステムおよび方法が実装された１つ以上の基地局装置（ｅＮＢ）および１つ以上の端末装置（ＵＥ）の一実装を示すブロック図である。
【図２】ｅＮＢによってＤＭＲＳを確定するための方法の一実装を示すフロー図である。
【図３】ＵＥによってＤＭＲＳを確定するための方法の一実装を示すフロー図である。
【図４】ＤＭＲＳパターンの例を示すブロック図である。
【図５】ＤＭＲＳパターンの追加の例を示すブロック図である。
【図６】ＤＭＲＳパターンのさらなる例を示すブロック図である。
【図７】ＤＭＲＳ選択のためのシステムおよび方法が実装されたｅＮＢの一実装を示すブロック図である。
【図８】ＤＭＲＳ選択のためのシステムおよび方法が実装されたｅＮＢの別の実装を示すブロック図である。
【図９】レガシーＤＭＲＳ選択および開示されるシステムおよび方法による動的なＤＭＲＳ選択を示すフロー図である。
【図１０】ｅＮＢによってＤＭＲＳ構成を確定するための方法の実装を示すフロー図である。
【図１１】ＵＥによってＤＭＲＳ構成を確定するための方法の実装を示すフロー図である。
【図１２】ｅＮＢにおいて利用される様々なコンポーネントを示す。
【図１３】ＵＥにおいて利用される様々なコンポーネントを示す。
【図１４】ＤＭＲＳ選択のためのシステムおよび方法が実装されたｅＮＢの一構成を示すブロック図である。
【図１５】ＤＭＲＳ選択のためのシステムおよび方法が実装されたＵＥの一構成を示すブロック図である。
【発明を実施するための形態】
【００１０】
ＤＭＲＳ選択のためのｅＮＢが記載される。ｅＮＢは、プロセッサと、プロセッサと電子通信を行うメモリに記憶された実行可能な命令とを含む。ｅＮＢは、変調および符号化方式（ＭＣＳ）に基づいてＤＭＲＳ構成を確定する。ｅＮＢは、下りリンク制御情報（ＤＣＩ）も確定する。ＤＣＩは、ＤＭＲＳ構成を指示するシグナリングを含む。ｅＮＢは、さらにＤＣＩを送信する。
【００１１】
ＤＭＲＳ構成は、ＤＭＲＳパターンおよびＤＭＲＳ系列シンボル変調次数の少なくとも一方または両方が異なる複数のＤＭＲＳ構成のうちから確定される。ＤＭＲＳ構成を確定することは、ＭＣＳに基づいてＤＭＲＳ構成インデックスを確定することを含みうる。ＤＭＲＳ構成は、ＤＭＲＳ構成インデックスに基づいて確定されてもよい。
【００１２】
ＤＭＲＳ構成を確定することは、ＭＣＳインデックスと物理リソースブロックの数（ＮＰＲＢ：ｎｕｍｂｅｒ  ｏｆ  ｐｈｙｓｉｃａｌ  ｒｅｓｏｕｒｃｅ  ｂｌｏｃｋ）とを確定することを含みうる。ＤＭＲＳ構成は、ＭＣＳインデックスとＮＰＲＢとに基づいて確定されてもよい。
【００１３】
ＭＣＳインデックスは、単一コードワード送信と関連する単一のコードワードに基づいてもよい。ＭＣＳインデックスは、複数コードワード送信と関連する第１のコードワードおよび第２のコードワードのうちの少なくとも１つに基づいてもよい。
【００１４】
シグナリングは、ＤＭＲＳ構成インデックス、ＭＣＳインデックスおよびＮＰＲＢのうちの少なくとも１つを含む。ＤＣＩは、物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）送信に対応する下りリンク（ＤＬ）割り当てＤＣＩであってもよい。ＤＣＩは、物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）送信に対応する上りリンク（ＵＬ）割り当てＤＣＩであってもよい。
【００１５】
ｅＮＢは、また、ＰＵＳＣＨ送信をスケジュールする。ｅＮＢは、さらに、ＰＵＳＣＨ送信を受信する。加えて、ｅＮＢは、ＤＭＲＳ構成に基づいてチャネルを推定する。ｅＮＢは、また、ＤＭＲＳ構成に基づいてＰＵＳＣＨ送信を復号する。
【００１６】
ＤＭＲＳ選択のためのＵＥも記載される。ＵＥは、プロセッサと、プロセッサと電子通信を行うメモリに記憶された実行可能な命令とを含む。ＵＥは、ＤＣＩを受信する。ＵＥは、また、ＤＣＩからＤＭＲＳ構成を指示するシグナリングを取得する。ＤＭＲＳ構成は、ＭＣＳに基づく。ＵＥは、さらに、シグナリングに基づいてＤＭＲＳ構成を確定する。
【００１７】
ＤＭＲＳ構成は、ＤＭＲＳパターンおよびＤＭＲＳ系列シンボル変調次数の少なくとも一方または両方が異なる複数のＤＭＲＳ構成のうちから確定される。ＤＭＲＳ構成を確定するステップは、ＤＣＩに基づいてＤＭＲＳ構成インデックスを確定することを含みうる。ＤＭＲＳ構成は、ＤＭＲＳ構成インデックスに基づいて確定されてもよい。
【００１８】
ＤＭＲＳ構成を確定することは、ＭＣＳインデックスとＮＰＲＢとを確定することを含みうる。ＤＭＲＳ構成は、ＭＣＳインデックスとＮＰＲＢとに基づいて確定されてもよい。
【００１９】
ＭＣＳインデックスは、単一コードワード送信と関連する単一のコードワードに基づいてもよい。ＭＣＳインデックスは、複数コードワード送信と関連する第１のコードワードおよび第２のコードワードのうちの少なくとも１つに基づいてもよい。
【００２０】
シグナリングは、ＤＭＲＳ構成インデックス、ＭＣＳインデックスおよびＮＰＲＢのうちの少なくとも１つを含む。ＤＣＩは、ＰＤＳＣＨ送信に対応するＤＬ割り当てＤＣＩであってもよい。ＤＣＩは、ＰＵＳＣＨ送信に対応するＵＬ割り当てＤＣＩであってもよい。
【００２１】
ＵＥは、また、ＤＭＲＳ構成に基づいてＰＵＳＣＨ送信を符号化する。ＵＥは、さらに、ＰＵＳＣＨ送信を送る。
【００２２】
ｅＮＢによるＤＭＲＳ選択のための方法も記載される。方法は、ＭＣＳに基づいてＤＭＲＳ構成を確定するステップを含む。方法は、ＤＣＩを確定するステップも含む。ＤＣＩは、ＤＭＲＳ構成を指示するシグナリングを含む。加えて、方法は、ＤＣＩを送信するステップを含む。
【００２３】
ＵＥによるＤＭＲＳ選択のための方法も記載される。方法は、ＤＣＩを受信するステップを含む。方法は、ＤＣＩからＤＭＲＳ構成を指示するシグナリングを取得するステップも含む。ＤＭＲＳ構成は、ＭＣＳに基づく。方法は、シグナリングに基づいてＤＭＲＳ構成を確定するステップをさらに含む。
【００２４】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを定めることを目指した連携合意である。３ＧＰＰは、次世代モバイル・ネットワーク、システム、およびデバイスに関する仕様を定める。
【００２５】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２６】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２７】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載する際に、ワイヤレス通信デバイスは、代わりに、移動局、ＵＥ、アクセス端末、加入者局、移動端末、遠隔局、ユーザ端末、端末、加入者ユニット、モバイルデバイスなどとも呼ばれる。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２８】
３ＧＰＰ仕様では、基地局は、典型的にＮｏｄｅ  Ｂ、ｅｖｏｌｖｅｄ  Ｎｏｄｅ  Ｂ（ｅＮＢ）、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらにまた、用語「基地局」は、アクセスポイントを示すために用いられてもよい。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイス（例えば、ＵＥ）および／または基地局（例えば、ｅＮＢ）の両方を示すために用いられる。
【００２９】
本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）またはその拡張に用いるために、ＵＥとｅＮＢとの間の通信に関するプロトコルが規格化によって指定されるか、または規制団体によって管理される通信チャネルの任意のセットを指し、ｅＮＢとＵＥとの間の通信に用いることが認可されたバンド（例えば、周波数バンド）としてそのすべてまたはそのサブセットが３ＧＰＰによって採用されることに留意すべきである。「構成セル（ｃｏｎｆｉｇｕｒｅｄ  ｃｅｌｌ）」は、ＵＥが認識しており、情報を送信または受信することがｅＮＢによって許可されたセルである。「構成セル（単数または複数）」は、在圏セル（単数または複数）であってもよい。ＵＥは、すべての構成セル上でシステム情報を受信して必要な測定を行う。「アクティブ化されたセル（ａｃｔｉｖａｔｅｄ  ｃｅｌｌ）」は、ＵＥが送受信を行っている構成セルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信の場合、ＵＥが物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない構成セルである。留意すべきは、「セル」が異なる次元の観点から記述されることである。例えば、「セル」は、時間、空間（例えば、地理）および周波数特性を有する。
【００３０】
本明細書に開示されるシステムおよび方法は、復調参照信号選択を記載する。通信デバイス（例えば、ＵＥまたはｅＮＢ）は、受信機を含む。いくつかの実装において、受信機は、受信された信号に対してチャネル等化を行うためにチャネル推定を行う。受信機は、参照信号を用いてチャネルを推定する。復調に用いられる参照信号は、復調参照信号と呼ばれる。チャネル推定の品質は、ＤＭＲＳの受信信号対雑音比（ＳＮＲ：ｓｉｇｎａｌ−ｔｏ−ｎｏｉｓｅ  ｒａｔｉｏ）だけでなく、チャネルを推定するために用いられるシンボルの数に依存する。受信ＤＭＲＳシンボルが多いだけでなく、ＳＮＲが高いほどチャネル推定品質が改善する。ＤＭＲＳベースのチャネル推定の品質は、推定の精度に基づいて直接的に、あるいは正確な復調の確率に対するＤＭＲＳの影響によって間接的に測定される。
【００３１】
そのうえ、適応符号化および変調（ＡＣＭ：ａｄａｐｔｉｖｅ  ｃｏｄｉｎｇ  ａｎｄ  ｍｏｄｕｌａｔｉｏｎ）を適用することによって、送信機は、ＭＣＳ（例えば、符号化率および変調次数）をチャネル条件に従って調整する。例えば、低ＳＮＲでは、送信機は、符号化率を低下させてより低い変調次数を用いる。逆に、高ＳＮＲでは、送信機は、符号化率を増加させてより高次の変調を用いる。
【００３２】
シンボル数が固定され、かつ送信電力が固定された単一のＤＭＲＳを用いる場合に、所与のチャネル条件または受信ＳＮＲに対して、例えば、適応符号化および変調が定義され、最低符号化率および変調次数が用いられる最低ＳＮＲに対してシンボル数および送信電力が選択されるならば、ＤＭＲＳの性能は、高い方のＳＮＲでは必要とされるよりずっと良好であろう。それゆえに、これは、過剰な電力の送信および消費、あるいは削除されてもなお必要な性能を満たす、不必要な数のＤＭＲＳシンボルにつながるであろう。そのうえ、過剰なＤＭＲＳシンボルは、オーバーヘッドと見なされ、アプリケーションまたは他の制御データを運ぶシンボルによってこれらを置き換えることができる。最後に、ＤＭＲＳシンボルの過剰な電力／時間／周波数リソース使用法が意味するのは、面積当たりの容量が限られた小面積ではそれらのリソースが再利用されないであろうということである。
【００３３】
現在の解決法は、干渉を低減するためにＤＭＲＳの系列を変更するメカニズムを提供するが、ＤＭＲＳシンボルの数を減少または増加させるメカニズムは、現在、何も存在しない。本明細書に記載されるシステムおよび方法によれば、ＤＭＲＳ構成は、データが送信されるときに動的に変化してもよい。それゆえに、開示されるシステムおよび方法は、通信デバイスのスケジューリングにフレキシビリティを与える、動的なＤＭＲＳ選択を記載する。そのうえ、開示されるシステムおよび方法は、制御情報のオーバーヘッドを削減し、通信デバイス性能を犠牲にすることなく、より高い空間効率とリソース利用の改善とをもたらす。
【００３４】
次に図面を参照して本明細書に開示されるシステムおよび方法の様々な例が記載される。図面中、同様の参照番号は、機能的に類似した要素を指示する。本明細書において図面に一般的に記載され、説明されるシステムおよび方法は、多種多様に異なる実装に配置し、かつ設計することができるであろう。従って、図面に表現されるようないくつかの実装の以下のさらに詳細な記載は、特許請求の範囲を限定するものではなく、システムおよび方法を単に代表するに過ぎない。
【００３５】
図１は、ＤＭＲＳ選択のためのシステムおよび方法が実装された１つ以上のｅＮＢ１６０および１つ以上のＵＥ１０２の一実装を示すブロック図である。１つ以上のｅＮＢ１６０は、１つ以上のアンテナ１８０ａ〜ｎを用いて１つ以上のＵＥ１０２と通信する。例えば、ｅＮＢ１６０は、１つ以上のアンテナ１８０ａ〜ｎを用いてＵＥ１０２へ電磁信号を送信し、ＵＥ１０２から電磁信号を受信する。ＵＥ１０２は、１つ以上のアンテナ１２２ａ〜ｎを用いてｅＮＢ１６０と通信する。
【００３６】
ｅＮＢ１６０およびＵＥ１０２は、相互に通信するために１つ以上のチャネル１１９、１２１を用いる。例えば、１つ以上のｅＮＢ１６０は、例として、１つ以上の下りリンク・チャネル１１９を用いて１つ以上のＵＥ１０２へ情報またはデータを送信する。下りリンク・チャネル１１９の例は、ＰＤＣＣＨ、ＥＰＤＣＣＨ、ＰＤＳＣＨなどを含む。ＵＥ１０２も、１つ以上の上りリンク・チャネル１２１を用いてｅＮＢ１６０へ情報またはデータを送信する。上りリンク・チャネル１２１の例は、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）およびＰＵＳＣＨなどを含む。他の種類のチャネルが用いられてもよい。
【００３７】
留意すべきは、ＤＬサブフレームがｅＮＢ１６０から１つ以上のＵＥ１０２へ送信され、ＵＬサブフレームが１つ以上のＵＥ１０２からｅＮＢ１６０へ送信されることである。そのうえ、ｅＮＢ１６０も１つ以上のＵＥ１０２も標準スペシャル・サブフレームでデータを送信する。
【００３８】
同様に留意すべきは、ＵＥ１０２が１つより多いｅＮＢ１６０または送信ポイントから情報を受信してもよいことである。また、ＵＥ１０２から送信された情報が１つより多いｅＮＢ１６０または受信ポイントにより受信されてもよい。そのうえ、リソースをスケジュールし、構成情報を供給するｅＮＢ（単数または複数）１６０がＤＬ制御情報およびアプリケーション・データ情報を送信するｅＮＢ１６０とは異なってもよい。加えて、異なるｅＮＢ（単数または複数）１６０または受信ポイントがＵＬ制御チャネルまたは共有チャネルで送信されたＵＥ１０２情報を受信してもよい。特に、ＵＥ１０２へ構成情報（この場合、ＤＭＲＳ構成１０７）を送信するｅＮＢ１６０または送信ポイントがＤＬでＤＭＲＳを送信するｅＮＢ１６０または送信ポイントとは異なってもよく、異なるｅＮＢ１６０または受信ポイントがＵＥ１０２によりＵＬで送信されたＤＭＲＳを受信してもよい。
【００３９】
本明細書では、ポイント（例えば、送信ポイントまたは受信ポイント）は、地理的にコロケートされたアンテナのセットである。ポイントは、サイトとも呼ばれる。ポイントは、同じ基地局（例えば、ｅＮＢ１６０）または異なる基地局上に位置してもよく、またはそれらに接続されてもよい。そのうえ、ＵＥ１０２によるＵＬ送信が複数のポイントによって受信されてもよい。ＵＥ１０２へ下りリンク上で送信するポイントは、送信ポイントと呼ばれる。ＵＥ１０２からの上りリンク上の送信を受信するポイントは、受信ポイントと呼ばれる。
【００４０】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００４１】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いて信号をＵＥ１０２へ送信する。例えば、１つ以上の送信機１１７は、１つ以上の変調信号１１５をアップコンバートして送信する。
【００４２】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、受信されたペイロード・データを備え、データバッファ１６２に記憶される。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、下りリンク・チャネル状態情報（ＤＬ−ＣＳＩ：ｄｏｗｎｌｉｎｋ  ｃｈａｎｎｅｌ  ｓｔａｔｅ  ｉｎｆｏｒｍａｔｉｏｎ）を供給する。留意すべきは、ペイロード・データまたはアプリケーション・データを制御データと多重化できることである。すなわち、復号信号は、オーバーヘッド・データ（例えば、制御データ）だけでなくペイロード・データまたはアプリケーション・データを含む。
【００４３】
本明細書では、用語「モジュール」は、特定の要素またはコンポーネントがハードウェア、ソフトウェア、またはハードウェアおよびソフトウェアの組み合わせで実装されることを意味する。しかしながら、留意すべきは、本明細書に「モジュール」として示される任意の要素が代わりにハードウェアで実装されてもよいことである。例えば、ｅＮＢオペレーション・モジュール１８２は、ハードウェア、ソフトウェアまたは両方の組み合わせで実装されてもよい。
【００４４】
一般に、ｅＮＢオペレーション・モジュール１８２は、ｅＮＢ１６０がＵＥ１０２と通信することを可能にする。ｅＮＢオペレーション・モジュール１８２は、ｅＮＢ  ＤＭＲＳ構成確定モジュール１９６、１つ以上のＤＭＲＳ構成１０７およびＤＣＩ確定モジュール１９８のうちの１つ以上を含む。ｅＮＢ  ＤＭＲＳ構成確定モジュール１９６は、ＤＭＲＳ構成１０７を送信するｅＮＢ１６０または送信ポイントとは異なるｅＮＢ１６０または送信ポイント内にあってもよいことに留意すべきである。この場合、ｅＮＢ  ＤＭＲＳ構成確定モジュール１９６をもつｅＮＢ１６０または送信ポイントは、ｅＮＢ１６０または送信ポイントにＤＭＲＳ構成１０７を通知する。
【００４５】
ｅＮＢ  ＤＭＲＳ構成確定モジュール１９６は、ＭＣＳに基づいてＤＭＲＳ構成１０７を確定する。ＭＣＳは、送信（例えば、ＰＤＳＣＨまたはＰＵＳＣＨ送信）の変調次数および符号化率を含む。
【００４６】
変調次数（Ｑｍ）は、変調方式における変調シンボルの数として定義される。符号化率は、ｋ／ｎの比によって定義され、ここでｎは、符号化されていないｋビットに符号化アルゴリズムを適用することによって発生する符号化ビットの数である。
【００４７】
ｅＮＢ１６０のＭＣＳは、変化してもよい。一実装において、ｅＮＢ１６０は、ＵＥ１０２から受信されたＤＬ−ＣＳＩに基づいてＭＣＳを確定する。加えてまたは代わりに、ｅＮＢ１６０は、ＤＬフレーム誤り率およびサービス品質（ＱｏＳ：ｑｕａｌｉｔｙ  ｏｆ  ｓｅｒｖｉｃｅ）を含む１つ以上の他の因子に基づいてＭＣＳを確定する。
【００４８】
ｅＮＢ  ＤＭＲＳ構成確定モジュール１９６は、複数のＤＭＲＳ構成１０７のうちから１つのＤＭＲＳ構成１０７を確定する。上記のように、ＤＭＲＳは、復調と関連するチャネル推定に用いられる参照信号である。チャネル推定の品質は、ＤＭＲＳの受信信号対雑音比（ＳＮＲ）比でだけでなく、チャネルを推定するために用いられるシンボルの数に依存する。受信されたＤＭＲＳシンボルが多いだけでなく、ＳＮＲが高いほどチャネル推定品質が改善する。それゆえに、ｅＮＢ１６０は、ＭＣＳに基づいてＤＭＲＳシンボル数を変更する。
【００４９】
ＤＭＲＳ構成１０７は、ＤＭＲＳ系列の発生に用いられるパラメータを含む。各ＤＭＲＳ構成１０７は、変調シンボル、例えば、直交位相シフトキーイング（ＱＰＳＫ：ｑｕａｄｒａｔｕｒｅ  ｐｈａｓｅ  ｓｈｉｆｔ  ｋｅｙｉｎｇ）シンボルのセットからＤＭＲＳ系列シンボルを選択するときに、少なくともＤＭＲＳパターンまたはＤＭＲＳシーケンス・シンボル変調次数が異なる。例えば、ＤＭＲＳ構成は、ＤＭＲＳパターンおよびＤＭＲＳ系列シンボル変調次数の少なくとも一方または両方が異なる複数のＤＭＲＳ構成のうちから確定される。ＤＭＲＳパターンは、ＤＭＲＳシンボルによって占有されたリソース要素として定義される。ＤＭＲＳパターンの様々な例が図４〜６に示される。ＤＭＲＳパターンは、ＤＭＲＳリソース要素パターンとも呼ばれる。ＤＭＲＳパターンは、ＰＤＳＣＨ送信と関連する（レートマッチング状態の）コードワードの送信に対して割り当てられたシンボルの数を指示する。加えてまたは代わりに、ＤＭＲＳパターンは、パンクチャされたシンボルの位置を指示する。
【００５０】
一実装において、ＤＭＲＳ構成１０７は、ｅＮＢ  ＤＭＲＳ構成確定モジュール１９６によりＭＣＳと関連するパラメータに基づいて確定される。１つのパラメータは、ＭＣＳインデックス（ＩＭＣＳ）である。ＭＣＳは、ＩＭＣＳによって表される。留意すべきは、３ＧＰＰ仕様ではＭＣＳがＩＭＣＳも参照するであろうということである。
【００５１】
ＤＭＲＳ構成１０７を確定するために用いられる別のパラメータは、ＮＰＲＢである。例えば、ｅＮＢ１６０は、ＵＥ１０２への共有チャネル（例えば、ＰＤＳＣＨ）のＤＬ送信に対して割り当てられたＮＰＲＢを確定する。ＩＭＣＳおよびＮＰＲＢは、ＭＣＳを完全に定める。一般に、ＩＭＣＳは、ＭＣＳを確定するために用いられるインデックスであることに留意すべきである。
【００５２】
一実装において、ｅＮＢ  ＤＭＲＳ構成確定モジュール１９６は、ＩＭＣＳおよびＮＰＲＢから直接的にＤＭＲＳ構成１０７を確定する。例えば、ＩＭＣＳおよびＮＰＲＢは、図２に関連して以下にさらに詳細に記載されるように、ＤＭＲＳ構成１０７を指示するルックアップ表中のエントリである。別の実装では、ｅＮＢ  ＤＭＲＳ構成確定モジュール１９６は、ＩＭＣＳおよびＮＰＲＢに基づいてＤＭＲＳ構成インデックス（ＩＤＭＲＳ）を確定する。ＩＤＭＲＳを確定すると、ｅＮＢ  ＤＭＲＳ構成確定モジュール１９６は、ＤＭＲＳ構成１０７を確定する。
【００５３】
ｅＮＢ  ＤＭＲＳ構成確定モジュール１９６は、単一コードワード送信または複数コードワードの送信に基づいてＤＭＲＳ構成１０７を確定してもよい。複数コードワードの場合、ｅＮＢ  ＤＭＲＳ構成確定モジュール１９６は、より詳細に以下に記載されるように、コードワードのうちの１つのＭＣＳインデックスに基づいてＤＭＲＳ構成１０７を確定する。
【００５４】
ＤＣＩ確定モジュール１９８は、ＤＣＩを確定する。ＤＣＩは、ＵＥ１０２へ送信される。ＤＣＩは、単数形（例えば、１つのＤＣＩ）で呼ばれる予め指定された長さのパケットで送信される。ＰＤＣＣＨまたは拡張された物理下りリンク制御チャネル（ＥＰＤＣＣＨ：ｅｎｈａｎｃｅｄ  ｐｈｙｓｉｃａｌ  ｄｏｗｎｌｉｎｋ  ｃｏｎｔｒｏｌ  ｃｈａｎｎｅｌ）がＤＣＩを運ぶ。異なるＤＣＩは、異なる情報を運ぶ。例えば、１つのＤＣＩは、複数のＵＥ１０２に下りリンク・リソース割り当てについて通知するために用いられ、別のＤＣＩは、特定のＵＥ１０２に上りリンク・リソース割り当てについて通知するために用いられるなどである。従って、ＤＣＩの機能性に依存して、異なる機能性をもつ異なるＤＣＩは、異なる長さを有する。異なるＤＣＩは、それらがフォーマットされ、符号化されるＤＣＩフォーマットと呼ばれる方法によって区別される。ＤＣＩは、１つのセルに関する下りリンクまたは上りリンク・スケジューリング情報、非周期的チャネル品質インジケータ（ＣＱＩ：ｃｈａｎｎｅｌ  ｑｕａｌｉｔｙ  ｉｎｄｉｃａｔｏｒ）レポートのリクエスト、マルチキャスト制御チャネル（ＭＣＣＨ：ｍｕｌｔｉｃａｓｔ  ｃｏｎｔｒｏｌ  ｃｈａｎｎｅｌ）変更の通知または上りリンク電力制御コマンドおよび１つのＲＮＴＩ（無線ネットワーク一時識別子）を輸送する。ＲＮＴＩは、巡回冗長検査（ＣＲＣ：ｃｙｃｌｉｃ  ｒｅｄｕｎｄａｎｃｙ  ｃｈｅｃｋ）で暗黙的に符号化される。
【００５５】
ＤＣＩは、送信が下りリンク送信または上りリンク送信であるかどうかに依存して変化する。例えば、ＤＬ送信に関して、ＤＣＩは、ＤＬ割り当てＤＣＩであり、とりわけ、ＰＤＳＣＨでのデータの送信に用いられるリソースおよび構成を指示する。従って、ＤＬ割り当てＤＣＩは、ＰＤＳＣＨのＩＭＣＳを含む。上りリンク送信に関しては、ＤＣＩは、ＵＬ割り当てＤＣＩであり、とりわけ、ＰＵＳＣＨでのデータの送信に用いられるリソースおよび構成を指示する。従って、ＵＬ割り当てＤＣＩは、ＰＵＳＣＨのＩＭＣＳを含む。
【００５６】
ＤＣＩは、ＤＭＲＳ構成１０７を指示するシグナリングも含む。一実装において、シグナリングは、送信のためのＩＭＣＳもしくはＮＰＲＢ、またはＩＭＣＳおよびＮＰＲＢの両方を含む。別の実装では、シグナリングは、ＩＤＭＲＳを含む。
【００５７】
ｅＮＢオペレーション・モジュール１８２は、情報１９０を１つ以上の受信機１７８に提供する。例えば、ｅＮＢオペレーション・モジュール１８２は、ＰＵＳＣＨ情報をいつ受信すべきか、またはいつすべきでないかを受信機（単数または複数）１７８に通知する。
【００５８】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。ＵＥ１０２から受信されたＰＵＳＣＨ情報は、ＤＭＲＳ構成１０７に基づいて復調される。
【００５９】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。ＵＥ１０２から受信されたＰＵＳＣＨ情報は、ＤＭＲＳ構成１０７に基づいて復調される。
【００６０】
ｅＮＢオペレーション・モジュール１８２は、情報１０１をエンコーダ１０９に提供する。情報１０１は、符号化すべきデータおよび／または符号化に関する命令を含む。例えば、ｅＮＢオペレーション・モジュール１８２は、送信データ１０５および／または他の情報１０１を符号化するようにエンコーダ１０９に命令する。いくつかの実装において、他の情報は、ＤＣＩを含む。
【００６１】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられるネットワークデータを含む。
【００６２】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【００６３】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（またはいつすべきでないか）を１つ以上の送信機１１７に命令する。いくつかの実装において、これは、ＤＭＲＳ構成１０７に基づく。１つ以上の送信機１１７は、１つ以上のＵＥ１０２へ変調信号（単数または複数）１１５をアップコンバートして送信する。
【００６４】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００６５】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００６６】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶される、受信されたペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００６７】
一般に、ＵＥオペレーション・モジュール１２４は、ＵＥ１０２が１つ以上のｅＮＢ１６０と通信することを可能にする。ＵＥオペレーション・モジュール１２４は、ＤＣＩインタプリタ１２６、ＵＥ  ＤＭＲＳ構成確定モジュール１２８および１つ以上のＤＭＲＳ構成１３０のうちの１つ以上を含む。
【００６８】
ＤＣＩインタプリタ１２６は、ｅＮＢ１６０から送信されたＤＣＩを受信する。ＤＣＩインタプリタ１２６は、ＤＣＩからＤＭＲＳ構成１３０を指示するシグナリングを取得する。上記のように、ＤＣＩは、ＤＬ送信と関連するＤＬ割り当てＤＣＩ、またはＵＬ送信と関連するＵＬ割り当てＤＣＩである。一実装において、シグナリングは、送信のためのＩＭＣＳもしくはＮＰＲＢ、またはＩＭＣＳおよびＮＰＲＢの両方を含む。別の実装では、シグナリングは、ＩＤＭＲＳを含む。シグナリングは、ｅＮＢ１６０によって確定されたＤＭＲＳ構成１３０に対応するＵＥ１０２のためのＤＭＲＳ構成１３０を指示する。
【００６９】
ＵＥ  ＤＭＲＳ構成確定モジュール１２８は、ＤＣＩから取得されたシグナリングに基づいてＤＭＲＳ構成１３０を確定する。一実装において、ＵＥ  ＤＭＲＳ構成確定モジュール１２８は、ＩＭＣＳおよびＮＰＲＢから直接的にＤＭＲＳ構成１３０を確定する。例えば、ＩＭＣＳおよびＮＰＲＢは、以下にさらに詳細に記載されるように、ＤＭＲＳ構成１３０を指示するルックアップ表中のエントリである。別の実装では、ＵＥ  ＤＭＲＳ構成確定モジュール１２８は、ＩＭＣＳおよびＮＰＲＢに基づいてＩＤＭＲＳを確定する。ＩＤＭＲＳを確定すると、ＵＥ  ＤＭＲＳ構成確定モジュール１２８は、ＤＭＲＳ構成１３０を確定する。さらに別の実装では、ＵＥ  ＤＭＲＳ構成確定モジュール１２８は、ＤＣＩから取得されたＩＤＭＲＳから直接的にＤＭＲＳ構成１３０を確定する。
【００７０】
ＵＥオペレーション・モジュール１２４は、情報１４８を１つ以上の受信機１２０に提供する。例えば、ＵＥオペレーション・モジュール１２４は、送信をいつ受信すべきかを受信機（単数または複数）１２０に通知する。
【００７１】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００７２】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００７３】
ＵＥオペレーション・モジュール１２４は、情報１４２をエンコーダ１５０に提供する。情報１４２は、符号化すべきデータおよび／または符号化に関する命令を含む。例えば、ＵＥオペレーション・モジュール１２４は、送信データ１４６および／または他の情報１４２を符号化するようにエンコーダ１５０に命令する。
【００７４】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【００７５】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【００７６】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。
【００７７】
同様に留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積（ＬＳＩ：ｌａｒｇｅ−ｓｃａｌｅ  ｉｎｔｅｇｒａｔｅｄ）回路または集積回路などで実装されてもよく、および／またはそれらを用いて実現されてもよい。
【００７８】
図２は、ｅＮＢ１６０によってＤＭＲＳを確定するための方法２００の一実装を示すフロー図である。ｅＮＢ１６０は、ＭＣＳに基づいてＤＭＲＳ構成１０７を確定する（ステップ２０２）。例えば、ＡＣＭが用いられる場合、ｅＮＢ１６０は、ＤＬ−ＣＳＩに従って符号化率および変調次数（例えば、ＭＣＳ）を変更する。例として、ｅＮＢ１６０は、ＵＥ１０２から受信されたＤＬ−ＣＳＩに基づいて送信のための然るべきＭＣＳを選択する。加えてまたは代わりに、ｅＮＢ１６０は、ＤＬフレーム誤り率およびサービス品質（ＱｏＳ）を含む１つ以上の他の因子に基づいてＭＣＳを確定する。ｅＮＢ１６０は、ＭＣＳに基づいてＤＭＲＳ構成１０７を確定する（ステップ２０２）。ＭＣＳが変化するので、ＤＭＲＳ構成１０７も変化する。ＭＣＳは、ＩＭＣＳによって表される。
【００７９】
ｅＮＢ１６０は、ＮＰＲＢも確定する。一実装において、ＮＰＲＢは、ＵＥ１０２へのＤＬ送信（例えば、ＰＤＳＣＨ）に対して割り当てられたリソースブロックの数に対応する。別の実装では、ＮＰＲＢは、ＵＥ１０２からｅＮＢ１６０へのＵＬ送信（例えば、ＰＵＳＣＨ）に対して割り当てられたリソースブロックの数に対応する。
【００８０】
ＩＭＣＳおよびＮＰＲＢは、変調および符号化方式（ＭＣＳ）を完全に定める。例えば、ＩＭＣＳは、下の表（１）に示されるようにＰＤＳＣＨ送信に関する変調次数を指示する。
【表１】
2016518035.tif 000003
【００８１】
表（１）において、ＰＤＳＣＨ送信に関する変調次数は、ＩＭＣＳに基づいて確定される。そのうえ、ＩＭＣＳは、下の表（２）に示されるようにＰＵＳＣＨ送信に関する変調次数を指示する。特に、表（２）は、ＰＵＳＣＨ送信に関するＴＢＳインデックスおよびリダンダンシーバージョンを表す。
【表２】
2016518035.tif 000004
【００８２】
表（２）において、「ｒｖｉｄｘ」は、送信されるコードワードのリダンダンシーバージョンである。初期送信にはリダンダンシーバージョン・インデックス０が用いられる。リダンダンシーバージョンは、符号化ビットがコードワードを形成するためにエンコーダ１０９の出力で順序付けられる方法を指示する。
【００８３】
変調次数は、変調方式における変調シンボルの数として定義される。変調次数は、変調シンボル中にマッピングされたビットの数に基づく。例えば、直交位相シフトキーイング（ＱＰＳＫ）変調方式には４つのシンボルがあるので、ＱＰＳＫ変調は、次数が４である。ＱＰＳＫ変調は、変調シンボル中に２値ビットをマッピングする。従って、ＱＰＳＫは、２２＝４の次数を有する。同様に、１６−直交振幅調整（ＱＡＭ：Ｑｕａｄｒａｔｕｒｅ  Ａｍｐｌｉｔｕｄｅ  Ｍｏｄｕｌａｔｉｏｎ）は、変調シンボル中に４ビットをマッピングする。従って、１６−ＱＡＭは、２４＝１６の次数を有する。
【００８４】
上の表（１）および表（２）中のエントリを識別するようにＩＭＣＳを表すためには４ビットが必要とされる。より高次の変調も用いられる。例えば、２５６−ＱＡＭではＱｍ＝８が用いられる。この場合、ＩＭＣＳの同じ４ビットを用いるが、より高次の変調（例えば、２５６−ＱＡＭ）に適合するように上の表（１）および表（２）中のエントリを修正するか、あるいはＱｍとＩＴＢＳとを識別するために追加のビットを用いるかのいずれかである。従って、本明細書では、ＩＭＣＳは、ＱｍとＩＴＢＳとを識別するためのすべてのビットおよび情報を含む。例えば、ＤＣＩまたは無線リソース制御（ＲＲＣ）情報中の１ビットは、２５６−ＱＡＭがサポートされるか否かを指示するために用いられ、ＤＣＩ中のそのビットとＩＭＣＳの４ビットとの組み合わせがＭＣＳを確定する。
【００８５】
ＰＤＳＣＨについて表（１）およびＰＵＳＣＨについて表（２）に示されるように、トランスポートブロック・サイズ（ＴＢＳ）インデックス（ＩＴＢＳ）もＩＭＣＳに基づいて確定される。いくつかの実装において、ｅＮＢ１６０は、ＴＢＳを変更することによって符号化率を変化させる。ＴＢＳは、トランスポートチャネル上で物理レイヤ（例えば、ＰＤＳＣＨ）へ送達されるデータであるトランスポートブロックのサイズ（例えば、ビット数）を表す。データは、最多で２つのトランスポートブロックの形態でエンコーダ１０９（例えば、符号化ユニット）に到達する。従って、ＴＢＳは、エンコーダ１０９に入ることになる符号化されていないビットの数を指示する。留意すべきは、各トランスポートブロックがそれ自体のＩＴＢＳおよびＩＭＣＳを有することである。
【００８６】
エンコーダ１０９は、符号化されていないビットストリームである１つの入力を有し、１つより多い出力を有する。エンコーダ１０９は、符号化されていないビットを「ｖ」個の符号化ビットに符号化する。符号化ユニットは、符号化と符号化ビットのインタリーブと（例えば、符号化ビットのストリームを形成するためにビットが出力でどのように選択されるかの）ビット選択とを含むいくつかの機能を行う。
【００８７】
ｅＮＢ１６０は、データの送信に対して多数のリソース要素を割り当てる。リソース要素は、上りリンク／下りリンク送信のための最小時間−周波数リソース単位である。１つのリソース要素は、サブキャリアに等しいバンド幅と直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｅｄ）／シングルキャリア周波数分割多元接続（ＳＣ−ＦＤＭＡ：ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルに等しい時間とを有する。送信されるコードワードごとに、複素数値の変調シンボルが１つまたはいくつかのレイヤ上へマッピングされる。レイヤ・マッピングおよびプリコーディング・マッピング後に、物理チャネルの送信に用いられるアンテナ１８０ポートごとに、複素数値の変調シンボルのブロックが複数のリソース要素へマッピングされる。変調次数は、各複素数値の変調シンボルへマッピングされた符号化ビットの数を確定する。
【００８８】
変調次数、データの送信に対して割り当てられたレイヤの数およびリソースの数が符号化ビットの数を確定する。上記のように、ＴＢＳは、エンコーダ１０９のための入力のビット数を定義する。ＴＢＳは、表（３）に示されるように確定される。
【表３】
2016518035.tif 000005
【００８９】
表（３）において、ＴＢＳ（例えば、１つのトランスポートブロックのビット数）は、ＩＴＢＳおよびＮＰＲＢに基づいて確定される。ＰＤＳＣＨ送信に関して、ＩＴＢＳは、上の表（１）に示されるように確定される。ＰＵＳＣＨ送信に関しては、ＩＴＢＳは、上の表（２）に示されるように確定される。
【００９０】
ＭＣＳを確定すると、ｅＮＢ１６０は、ＩＭＣＳおよびＮＰＲＢに基づいてＤＭＲＳ構成１０７を確定する（ステップ２０２）。ＤＭＲＳ構成１０７は、複数のＤＭＲＳ系列の１つまたは組み合わせを含む。例えば、ＤＭＲＳ構成１０７は、ＤＭＲＳ系列を発生させるために必要なパラメータを含む。ＤＭＲＳ構成１０７は、疑似乱数発生器アルゴリズム（または疑似乱数発生モジュール）を始動するためのパラメータ（例えば、ｎＩＤ）を含む。例えば、ｎＩＤは、疑似乱数発生モジュールを始動するために用いられるパラメータである。
【００９１】
一実装において、疑似ランダム系列は、長さ３１のゴールド系列（ｌｅｎｇｔｈ−３１  Ｇｏｌｄ  ｓｅｑｕｅｎｃｅ）によって定義される。長さ
ＭＰＮ
の出力系列
ｃ（ｎ）
、ここで
ｎ＝０，１，．．．，ＭＰＮ−１
、は、数式（１）〜（３）によって定義される。
【数１】
2016518035.tif 000006
【００９２】
数式（１）において、「ＮＣ」＝１６００であり、第１のｍ系列は、
【数２】
2016518035.tif 000007
を用いて初期化される。第２のｍ系列の初期化は、
【数３】
2016518035.tif 000008
によって示され、その値は、系列の適用に依存する。疑似ランダム系列発生器は、各サブフレームの開始のときに
【数４】
2016518035.tif 000009
を用いて初期化される。数量
【数５】
2016518035.tif 000010
2016518035.tif 000011
、は、
【数６】
2016518035.tif 000012
の値が上位レイヤによって何も与えられない場合、またはＰＤＳＣＨ送信と関連するＤＣＩにＤＣＩフォーマット１Ａが用いられる場合には、
【数７】
2016518035.tif 000013
によって与えられる。そうでない場合には、
【数８】
2016518035.tif 000014
である。一例では、ＤＭＲＳ構成１０７パラメータは、パラメータ
【数９】
2016518035.tif 000015
を含む。
【００９３】
ＤＭＲＳ構成１０７パラメータは、ＤＭＲＳパターン（例えば、ＤＭＲＳシンボルの送信に対して割り当てられた時間および／または周波数リソース）も含む。ＤＭＲＳ構成１０７パラメータは、ＤＭＲＳの送信に用いるための１つ以上のアンテナポートをさらに含む。加えて、ＤＭＲＳ構成１０７パラメータは、スクランブル系列を発生させるために用いられるパラメータ（例えば、疑似乱数発生モジュールを初期化するためのパラメータ）を含む。
【００９４】
いくつかの実装において、ＤＭＲＳ構成１０７は、ルックアップ表中のエントリとしてＩＭＣＳおよびＮＰＲＢを用いて確定される（ステップ２０２）。ＩＭＣＳおよびＮＰＲＢは、表のエントリがＤＭＲＳ構成１０７であるルックアップ表の行および列を指示する。例えば、ＤＭＲＳ構成１０７は、表（４）に示されるようにＩＭＣＳおよびＮＰＲＢへマッピングされる。
【表４】
2016518035.tif 000016
【００９５】
表（４）において、用語「ＤＭＲＳ  Ｃｏｎｆｉｇ」は、特定のＤＭＲＳ構成１０７を参照する。上記のように、ＤＭＲＳ構成１０７のそれぞれは、ＤＭＲＳパターンおよびＤＭＲＳ系列シンボル変調次数の少なくとも一方または両方が異なる。表（４）に示されるＤＭＲＳ構成１０７のマッピングは、可能なマッピングの一例に過ぎないことに留意すべきである。そのうえ、ＩＭＣＳ、ＮＰＲＢおよびＤＭＲＳ  Ｃｏｎｆｉｇに表（４）に示されるよりも多くのエントリがあってもよい。
【００９６】
別の実装では、ＤＭＲＳ構成１０７は、ＩＭＣＳおよびＮＰＲＢをＤＭＲＳ構成インデックス（例えば、ＩＤＭＲＳ）へマッピングすることによって確定される（ステップ２０２）。例えば、ＩＤＭＲＳは、表（５）に示されるようにＩＭＣＳおよびＮＰＲＢへマッピングされる。
【表５】
2016518035.tif 000017
【００９７】
表（５）において、ＩＤＭＲＳは、ＩＭＣＳおよびＮＰＲＢに基づいて数値を割り当てられる。表（５）に示されるＩＤＭＲＳマッピングは、可能なマッピングの一例に過ぎないことに留意すべきである。そのうえ、ＩＭＣＳ、ＮＰＲＢおよびＩＤＭＲＳに表（５）に示されるよりも多くのエントリがあってもよい。表（５）に従ってＩＤＭＲＳを確定すると、ＤＭＲＳ構成１０７は、表（６）に示されるように確定される（ステップ２０２）。
【表６】
2016518035.tif 000018
【００９８】
ＤＭＲＳ構成１０７は、ＰＤＳＣＨまたはＰＵＳＣＨ上の単一または複数のコードワードに関して確定される（ステップ２０２）。単一コードワード送信の場合、ＤＭＲＳ構成１０７は、上記のように確定される（ステップ２０２）。ＰＤＳＣＨまたはＰＵＳＣＨ送信のために複数のコードワードがスケジュールされる場合、両方のコードワードは、同じリソースブロックを共有する。従って、第１のコードワードに関するＮＰＲＢパラメータは、第２のコードワードに関するＮＰＲＢパラメータと同じである。複数のコードワードに関するＩＭＣＳは、ＤＣＩフォーマットから確定される。第１のコードワードのＩＭＣＳ（ＩＭＣＳ，ＣＷ０）は、第２のコードワードのＩＭＣＳ（ＩＭＣＳ，ＣＷ１）と等しくても、等しくなくてもよい。一実装において、ＩＭＣＳ，ＣＷ０とＩＭＣＳ，ＣＷ１が等しくなければ、ｅＮＢ１６０は、ＤＭＲＳ構成１０７を確定する（ステップ２０２）ために、常にＩＭＣＳ，ＣＷ０またはＩＭＣＳ，ＣＷ１のうちの１つを用いる。別の実装では、ＩＭＣＳ，ＣＷ０とＩＭＣＳ，ＣＷ１とが等しくなければ、ｅＮＢ１６０は、ＩＭＣＳ，ＣＷ０およびＩＭＣＳ，ＣＷ１のうちの最小値（例えば、ｍｉｎ（ＩＭＣＳ，ＣＷ０，ＩＭＣＳ，ＣＷ１））を用いる。さらに別の実装では、ＩＭＣＳ，ＣＷ０とＩＭＣＳ，ＣＷ１とが等しくなければ、ｅＮＢ１６０は、ＩＭＣＳ，ＣＷ０およびＩＭＣＳ，ＣＷ１のうちの最大値（例えば、ｍａｘ（ＩＭＣＳ，ＣＷ０，ＩＭＣＳ，ＣＷ１））を用いる。
【００９９】
ｅＮＢは、ＤＣＩを確定する（ステップ２０４）。ＰＤＣＣＨまたは拡張された物理下りリンク制御チャネル（ＥＰＤＣＣＨ）がＤＣＩを運ぶ。異なるＤＣＩは、異なる情報を運ぶ。例えば、ＤＣＩの１つのタイプは、複数のＵＥ１０２に下りリンク・リソース割り当てについて通知するために用いられ、ＤＣＩの別のタイプは、特定のＵＥ１０２に上りリンク・リソース割り当てについて通知するために用いられるなどである。従って、ＤＣＩの機能性に依存して、異なる機能性をもつ異なるＤＣＩは、異なる長さを有する。異なるＤＣＩは、ＤＣＩがフォーマットされ、符号化されるＤＣＩフォーマットと呼ばれる方法によって区別される。
【０１００】
ＤＣＩは、送信が下りリンク送信または上りリンク送信であるかどうかに依存して変化する。例えば、下りリンク送信に関して、ＤＣＩは、ＤＬ割り当てＤＣＩであり、とりわけ、ＰＤＳＣＨでのデータの送信に用いられるリソースおよび構成を指示する。ＤＬ割り当てＤＣＩは、ＤＬリソース割り当て、ＤＬ割り当て、および／またはＤＬグラントとも呼ばれる。ＤＬ割り当てＤＣＩは、ＰＤＳＣＨのＩＭＣＳを含む。
【０１０１】
上りリンク送信に関しては、ＤＣＩは、ＵＬ割り当てＤＣＩであり、とりわけ、ＰＵＳＣＨでのデータの送信に用いられるリソースおよび構成を指示する。ＵＬ割り当てＤＣＩは、ＰＵＳＣＨのＩＭＣＳを含む。ＵＬ割り当てＤＣＩは、ＵＬリソース割り当て、ＵＬ割り当て、および／またはＵＬグラントとも呼ばれる。とりわけ、ＵＬ割り当てＤＣＩは、ＵＥ１０２によって用いられるべきＭＣＳ、ならびにＰＵＳＣＨ上でのデータのＵＬ送信に用いられるべき（リソース要素またはリソースブロックを含めて）リソースを指示する。
【０１０２】
ＤＣＩは、ＤＭＲＳ構成１０７を指示するシグナリングも含む。一実装において、シグナリングは、送信のためのＩＭＣＳもしくはＮＰＲＢの一方または両方を含む。別の実装では、シグナリングは、ＩＤＭＲＳを含む。
【０１０３】
１つの代わりの実装では、ＤＣＩは、ＵＥ１０２へＤＭＲＳ構成１０７をシグナリングするためのＩＤＭＲＳフィールドを含む。ＤＬ送信の場合、ＤＬ割り当てＤＣＩ中のＩＤＭＲＳフィールドがＩＤＭＲＳの値に対応する数値にセットされる。それゆえに、ＵＥ１０２は、ＤＬ割り当てＤＣＩに含まれるＩＤＭＲＳに基づいてＤＭＲＳ構成１０７を確定する。
【０１０４】
ＵＬ送信の場合、ｅＮＢ１６０は、ＵＥ１０２からｅＮＢ１６０へのＰＵＳＣＨ送信をスケジュールする。ｅＮＢ１６０は、上記のようにＩＤＭＲＳを確定する。ＵＬ割り当てＤＣＩ中のＩＤＭＲＳフィールドがＩＤＭＲＳの値に対応する数値にセットされる。それゆえに、ＵＥ１０２は、ＵＬ割り当てＤＣＩに含まれるＩＤＭＲＳに基づいてＤＭＲＳ構成１０７を確定する。
【０１０５】
第２の代わりの実装では、ＤＣＩは、ＵＥ１０２へＤＭＲＳ構成１０７を暗黙的にシグナリングするためのＩＭＣＳおよびＮＰＲＢを含む。例えば、ＤＣＩは、ＭＣＳフィールドおよびリソース割り当てフィールドを含む。ＭＣＳフィールドの数値は、ＩＭＣＳの値にセットされる。リソース割り当てフィールドの数値は、ＮＰＲＢの値にセットされる。ＤＬ送信の場合、ＤＣＩは、ＤＬ割り当てＤＣＩである。ＵＬ送信の場合、ＤＣＩは、ＵＬ割り当てＤＣＩである。従って、この実装では、ＵＥ１０２は、ＤＣＩに含まれるＩＭＣＳおよびＮＰＲＢに基づいてＤＭＲＳ構成１０７を確定する。
【０１０６】
ｅＮＢ１６０は、ＤＣＩを送信する（ステップ２０６）。ＤＬ送信の場合、ｅＮＢ１６０は、ＤＬ割り当てＤＣＩを送信する（ステップ２０６）。ｅＮＢ１６０は、ＰＤＳＣＨ送信と関連してＤＬ割り当てＤＣＩを送信する（ステップ２０６）。ＵＬ送信の場合、ｅＮＢ１６０は、ＵＬ割り当てＤＣＩを送信する（ステップ２０６）。ＤＣＩ（例えば、ＤＬ割り当てＤＣＩおよびＵＬ割り当てＤＣＩ）は、ＰＤＣＣＨまたはｅＰＤＣＣＨ上で送信される。
【０１０７】
留意すべきは、ＵＬ送信の場合、ｅＮＢ１６０がＵＥ１０２からＰＵＳＣＨ送信を受信することである。ｅＮＢ１６０は、ＰＵＳＣＨ送信がｅＮＢ１６０によってスケジュールされたときに確定された（ステップ２０２）ＤＭＲＳ構成１０７を用いる。例えば、ｅＮＢ１６０は、チャネル（例えば、ＰＵＳＣＨ）を推定して、ＤＭＲＳ構成１０７に基づいてＰＵＳＣＨ送信データを復号する。
【０１０８】
上記の方法２００は、単一ユーザ多入力多出力（ＳＵ−ＭＩＭＯ：ｓｉｎｇｌｅ  ｕｓｅｒ  ｍｕｌｔｉｐｌｅ−ｉｎｐｕｔ  ｍｕｌｔｉｐｌｅ−ｏｕｔｐｕｔ）の単一コードワードおよび複数コードワード送信、ならびにマルチユーザ多入力多出力（ＭＵ−ＭＩＭＯ：ｍｕｌｔｉ  ｕｓｅｒ  ｍｕｌｔｉｐｌｅ−ｉｎｐｕｔ  ｍｕｌｔｉｐｌｅ−ｏｕｔｐｕｔ）の単一コードワードおよび複数コードワード送信に適用可能である。ＭＵ−ＭＩＭＯに関しては、複数のＰＤＳＣＨ送信が同じリソースブロック上にスケジュールされた複数のＵＥ１０２へ向けられる。ＳＵ−ＭＩＭＯおよびＭＵ−ＭＩＭＯのコンテキストの動的なＤＭＲＳ選択の一実装では、（ＤＬグラントのみならずＵＬグラントに関する）ＤＣＩがＩＤＭＲＳを指示する（１ビット以上の長さの）フィールドを含む。ｅＮＢ１６０は、ＤＣＩにＩＤＭＲＳフィールドをセットして、１つ以上のＵＥ１０２へＤＣＩを送信する（ステップ２０６）。ＵＬ送信に関しては、ＰＵＳＣＨ送信を受信すると、ｅＮＢ１６０は、ＩＤＭＲＳの値を用いてチャネルを推定して、ＰＵＳＣＨ送信データを復号する。
【０１０９】
図３は、ＵＥ１０２によってＤＭＲＳを確定するための方法３００の一実装を示すフロー図である。ＵＥ１０２は、（例えば、ｅＮＢ１６０によって）複数のＤＭＲＳ構成１３０を用いて構成される。各ＤＭＲＳ構成１３０は、次のパラメータ、すなわち、ＤＭＲＳパターンおよびＤＭＲＳ系列シンボルの変調次数の少なくとも一方または両方が別のＤＭＲＳ構成１３０とは異なる。ＵＥ１０２のＤＭＲＳ構成１３０は、ｅＮＢ１６０によって確定されたＤＭＲＳ構成１０７に対応する。３ＧＰＰのリリース１１では、ＤＭＲＳ系列シンボルがＱＰＳＫ変調シンボルから疑似ランダム的に選択される。それゆえに、ＤＭＲＳ系列は、ＱＰＳＫシンボルから成る。ＤＭＲＳ系列シンボルを異なる変調方式（例えば、８ＰＳＫまたは６４−ＱＡＭ）から発生させることも可能である。留意すべきは、ＤＭＲＳ構成１３０が静的または準静的なことである。
【０１１０】
ＵＥ１０２は、ＤＣＩを受信する（ステップ３０２）。例えば、ＵＥ１０２は、ｅＮＢ１６０からＤＣＩを受信する（ステップ３０２）。ＤＬ送信の場合、ＤＣＩは、ＤＬ割り当てＤＣＩであり、ＰＤＳＣＨ送信とともに受信される。ＵＬ送信の場合、ＤＣＩは、ＵＬ割り当てＤＣＩである。ＤＣＩは、ＰＤＣＣＨまたはｅＰＤＣＣＨ上で受信される（ステップ３０２）。
【０１１１】
ＵＥ１０２は、ＤＣＩからＤＭＲＳ構成１３０を指示するシグナリングを取得する（ステップ３０４）。ＤＭＲＳ構成１３０は、ＭＣＳに基づく。例えば、ＤＭＲＳ構成１３０は、図２と関連して先に記載されたようにｅＮＢ１６０によって確定されたＤＭＲＳ構成１０７に対応する。一実装において、シグナリングは、ＩＭＣＳもしくはＮＰＲＢの一方または両方を含む。別の実装では、シグナリングは、ＩＤＭＲＳを含む。
【０１１２】
１つの代わりの実装では、ＤＣＩは、ＩＤＭＲＳを含むＩＤＭＲＳフィールドを含む。第２の代わりの実装では、ＤＣＩは、ＩＭＣＳおよびＮＰＲＢを指示するＭＣＳフィールドおよびリソース割り当てフィールドを含む。
【０１１３】
ＵＥ１０２は、ＤＣＩ中のＭＣＳフィールドを読み取ることによってＩＭＣＳを取得する（ステップ３０４）。ＵＥ１０２は、リソース割り当てフィールドからＮＰＲＢも取得する（ステップ３０４）。一実装において、ＵＥ１０２は、ＤＣＩ中のリソース割り当てフィールドを読み取り、リソース割り当てタイプを最初に確定することによってＮＰＲＢを取得する（ステップ３０４）。リソース割り当てフィールドが存在しなければ、ＵＥ１０２は、デフォルトのリソース割り当てタイプを用いる。リソース割り当てタイプを確定すると、ＵＥ１０２は、リソース割り当てタイプに基づいてＤＣＩ中のリソース割り当てフィールドを読み取ることによってＮＰＲＢを確定する。
【０１１４】
留意すべきは、ＵＥ１０２がＩＭＣＳおよびＮＰＲＢに基づいてＴＢＳも取得する（ステップ３０４）ことである。これは、図２に関連して先に記載されたように達成される。例えば、ＴＢＳは、上の表（１）、表（２）および表（３）に示されるようにルックアップ表を用いて取得される（ステップ３０４）。
【０１１５】
ＵＥ１０２は、シグナリングに基づいてＤＭＲＳ構成１３０を確定する（ステップ３０６）。これは、図２に関連して先に記載されたように達成される。例えば、一実装において、ＵＥ１０２は、上の表（６）に示されるようにＩＤＭＲＳから直接的にＤＭＲＳ構成１３０を確定する（ステップ３０６）。別の実装では、ＵＥ１０２は、上の表（４）に示されるようにＩＭＣＳおよびＮＰＲＢに基づいてＤＭＲＳ構成１３０を確定する（ステップ３０６）。さらに別の実装では、ＵＥ１０２は、上の表（５）に示されるようにＩＭＣＳおよびＮＰＲＢに基づいてＩＤＭＲＳを最初に確定し、次にＵＥ１０２は、表（６）に示されるようにＩＤＭＲＳからＤＭＲＳ構成１３０を確定する（ステップ３０６）。
【０１１６】
複数コードワード送信の場合、複数のコードワードに関するＩＭＣＳが図２に関連して先に記載されたように確定される。例えば、ＩＭＣＳ，ＣＷ０およびＩＭＣＳ，ＣＷ１が等しくなければ、ＵＥ１０２は、ＤＭＲＳ構成１３０を確定する（ステップ３０６）ために、常にＩＭＣＳ，ＣＷ０またはＩＭＣＳ，ＣＷ１のうちの１つを用いる。別の実装では、ＩＭＣＳ，ＣＷ０およびＩＭＣＳ，ＣＷ１が等しくなければ、ＵＥ１０２は、ＩＭＣＳ，ＣＷ０およびＩＭＣＳ，ＣＷ１のうちの最小値（例えば、ｍｉｎ（ＩＭＣＳ，ＣＷ０，ＩＭＣＳ，ＣＷ１））を用いる。さらに別の実装では、ＩＭＣＳ，ＣＷ０およびＩＭＣＳ，ＣＷ１が等しくなければ、ＵＥ１０２は、ＩＭＣＳ，ＣＷ０およびＩＭＣＳ，ＣＷ１のうちの最大値（例えば、ｍａｘ（ＩＭＣＳ，ＣＷ０，ＩＭＣＳ，ＣＷ１）を用いる。
【０１１７】
ＵＥ１０２は、ＤＬ送信およびＵＬ送信のためにＤＭＲＳ構成１３０を用いる。ＤＬ送信に関して、ＵＥ１０２は、チャネルを推定し、ＰＤＳＣＨ上で受信されたシンボルを復調して、ＰＤＳＣＨ送信で受信された１つ以上のコードワードを復号するためにＤＭＲＳ構成１３０を用いる。ＵＬ送信に関しては、ＵＥ１０２は、ｅＮＢ１６０へ送信されるＰＵＳＣＨ送信を変調して符号化するためにＤＭＲＳ構成１３０を用いる。
【０１１８】
ＳＵ−ＭＩＭＯまたはＭＵ−ＭＩＭＯの場合、ＤＬ送信に関して、ＵＥ１０２は、チャネルを推定し、ＰＤＳＣＨ上で受信されたシンボルを復調して、ＰＤＳＣＨ送信で受信された１つ以上のコードワードを復号するために同様にＤＭＲＳ構成１３０を用いる。ＳＵ−ＭＩＭＯまたはＭＵ−ＭＩＭＯのＵＬ送信に関しては、ＵＥ１０２は、ｅＮＢ１６０へ送信されるＰＵＳＣＨ送信を変調して符号化するためにＤＭＲＳ構成１３０を用いる。
【０１１９】
図４は、ＤＭＲＳパターン４２３ａ〜ｃの例を示すブロック図である。ＤＭＲＳパターン４２３は、ＤＭＲＳシンボルによって占有されたリソース要素として定義される。例えば、図４における陰影付きリソース要素は、ＤＭＲＳシンボルによって占有される。ＤＭＲＳパターン４２３は、ＤＭＲＳリソース要素パターンとも呼ばれる。ＤＭＲＳパターン４２３は、ＰＤＳＣＨ送信と関連する（レートマッチング状態の）コードワードの送信に対して割り当てられたシンボルの数を指示する。加えてまたは代わりに、ＤＭＲＳパターン４２３は、パンクチャされたシンボルの位置を指示する。ｅＮＢ１６０またはＵＥ１０２は、上記のように異なるＤＭＲＳパターン４２３を用いたＤＭＲＳ構成１０７、１３０を選択する。
【０１２０】
多数のリソース要素は、リソースブロックを構成する。リソースブロックは、周波数領域の「Ｋ」個の連続したサブキャリアおよび「Ｌ」個の連続したＯＦＤＭ／ＳＣ−ＦＤＭＡシンボルにおける複数のリソース要素によって定義される。リソースグリッドは、「Ｋ」個の連続したサブキャリアおよび「Ｌ」個のＯＦＤＭ／ＳＣ−ＦＤＭＡシンボルによって定義される。多数のリソース要素（および例えば、多数のリソースブロック）は、スロットを構成する。スロットは、時間に従って定義される。例として、１つのスロットは、０.５ミリ秒（ｍｓ）を占有する。２つのスロットは、サブフレームを構成する。多数（例えば、１０個）のサブフレームは、１つの無線フレームを構成する。各ＤＭＲＳパターン４２３は、偶数番号のスロット４２５ａ〜ｃおよび奇数番号のスロット４２７ａ〜ｃを含む。
【０１２１】
図４に示されるＤＭＲＳパターン４２３ａ〜ｃは、リリース１１によるＤＬチャネル発生の例である。特に、ＤＭＲＳパターン４２３ａ〜ｃは、アンテナポート７および８に対する通常のサイクリックプレフィックスのためにＵＥ固有の参照信号に用いられるリソース要素を示す。ＤＭＲＳパターンＡ４２３ａは、スペシャル・サブフレーム構成１、２、６または７に用いられる。ＤＭＲＳパターンＢ４２３ｂは、スペシャル・サブフレーム構成３、４、８または９に用いられる。ＤＭＲＳパターンＣ４２３ｃは、すべての他の下りリンクサブフレームに用いられる。
【０１２２】
図５は、ＤＭＲＳパターン５２３ａ〜ｃの追加の例を示すブロック図である。ＤＭＲＳパターン５２３ａ〜ｃは、ＤＭＲＳシンボルによって占有されたリソース要素を指示する。例えば、図５における陰影付きリソース要素は、ＤＭＲＳシンボルによって占有される。各ＤＭＲＳパターン５２３は、偶数番号のスロット５２５ａ〜ｃおよび奇数番号のスロット５２７ａ〜ｃを含む。
【０１２３】
図５に示されるＤＭＲＳパターン５２３ａ〜ｃは、リリース１１によるＤＬチャネル発生の例である。特に、ＤＭＲＳパターン５２３ａ〜ｃは、アンテナポート９および１０に対する通常のサイクリックプレフィックスのためにＵＥ固有の参照信号に用いられるリソース要素を示す。ＤＭＲＳパターンＡ５２３ａは、スペシャル・サブフレーム構成１、２、６または７に用いられる。ＤＭＲＳパターンＢ５２３ｂは、スペシャル・サブフレーム構成３、４、８または９に用いられる。ＤＭＲＳパターンＣ５２３ｃは、すべての他の下りリンクサブフレームに用いられる。
【０１２４】
図６は、ＤＭＲＳパターン６２３ａ〜ｄのさらなる例を示すブロック図である。ＤＭＲＳパターン６２３ａ〜ｄは、ＤＭＲＳシンボルによって占有されたリソース要素を指示する。例えば、図６における陰影付きリソース要素は、ＤＭＲＳシンボルによって占有される。第１のＤＭＲＳパターン６２３ａは、リリース１１によるＰＵＳＣＨ送信に関するＤＭＲＳパターンの例である。第２のＤＭＲＳパターン６２３ｂは、リリース１１では定義されないＰＵＳＣＨ送信に関するＤＭＲＳパターンの例である。
【０１２５】
第３のＤＭＲＳパターン６２３ｃは、リリース１１仕様による周波数分割多重（ＦＤＤ：ｆｒｅｑｕｅｎｃｙ  ｄｉｖｉｓｉｏｎ  ｄｕｐｌｅｘ）システムおよび通常のサイクリックプレフィックスのためのアンテナポート７上のＤＭＲＳパターンの例である。第４のＤＭＲＳパターン６２３ｄは、ＦＤＤシステムおよび通常のサイクリックプレフィックスのためのアンテナポート７上のＤＭＲＳパターンの別の例である。
【０１２６】
図７は、ＤＭＲＳ選択のためのシステムおよび方法が実装されたｅＮＢ７６０の一実装を示すブロック図である。図７に関連して記載されるｅＮＢ７６０は、図１に関連して記載されたｅＮＢ１６０に従って実装される。図７は、下りリンク同期チャネル（ＤＬ−ＳＣＨ：ｄｏｗｎｌｉｎｋ−ｓｙｎｃｈｒｏｎｉｚａｔｉｏｎ  ｃｈａｎｎｅｌ）、ページング・チャネル（ＰＣＨ：ｐａｇｉｎｇ  ｃｈａｎｎｅｌ）およびマルチキャスト・チャネル（ＭＣＨ：ｍｕｌｔｉｃａｓｔ  ｃｈａｎｎｅｌ）に関するトランスポートブロック７３９ごとの処理構造の一例を示す。いくつかの実装において、図７に示される処理ステップは、符号化ユニットとも呼ばれるエンコーダ１０９によって行われる。
【０１２７】
データは、ＤＬセルごとに送信時間間隔（ＴＴＩ：ｔｒａｎｓｍｉｓｓｉｏｎ  ｔｉｍｅ  ｉｎｔｅｒｖａｌ）おきに最多で２つのトランスポートブロック７３９の形態で符号化ユニットに到達する。例えば、ｅＮＢ７６０は、ｅＮＢ  ＤＭＲＳ構成確定モジュール１９６、１つ以上のＤＭＲＳ構成１０７およびＤＣＩ確定モジュール１９８を含む（示されない）ｅＮＢオペレーション・モジュール１８２を含む。ｅＮＢ  ＤＭＲＳ構成確定モジュール１９６は、図２に関連して先に記載されたようにＤＭＲＳ構成１０７を確定する。ＤＣＩ確定モジュール１９８は、図２に関連して先に記載されたようにＤＭＲＳ構成１０７に基づいてＤＣＩを確定する。ｅＮＢオペレーション・モジュール１８２は、送信のために処理されるようにデータ（例えば、ＤＣＩ）を符号化ユニットへ供給する。
【０１２８】
ｅＮＢ１６０は、ＤＬセルのトランスポートブロック７３９ごとに一連の符号化ステップを行う。トランスポートブロックＣＲＣ付加モジュール７２９は、ＣＲＣ情報をトランスポートブロックに加える。コードブロック・セグメント化およびコードブロックＣＲＣ付加モジュール７３１は、コードブロック・セグメント化を行い、１つ以上のコードブロックにＣＲＣ情報を加える。チャネル符号化モジュール７３３は、トランスポートブロックに関してチャネル符号化を行う。レートマッチング・モジュール７３５は、トランスポートブロックに関してレートマッチングを行う。コードブロック連結モジュール７３７は、トランスポートブロックに対してコードブロック連結を行う。
【０１２９】
ｅＮＢ７６０は、１つ以上のトランスポートブロック７３９に基づいて１つ以上のコードワード７４１を作り出す。コードワード７４１は、トランスポートブロック７３９に関する符号化ユニットからの出力（例えば、符号化ビット）である。ｅＮＢ７６０は、ＤＬセルの１つまたは２つのトランスポートブロック７３９に対応するＴＴＩごとに１つまたは２つのコードワード７４１を作り出す。
【０１３０】
図８は、ＤＭＲＳ選択のためのシステムおよび方法が実装されたｅＮＢ８６０の別の実装を示すブロック図である。図８に関連して記載されるｅＮＢ８６０は、図１に関連して記載されたｅＮＢ１６０に従って実装される。ｅＮＢ８６０は、１つ以上のスクランブリング・モジュール８４３、１つ以上のインターリーバ８４５、１つ以上の変調マッパ８４７、レイヤ・マッパ８４９、プリコーディング・モジュール８５１、１つ以上のリソース要素マッパ８５３、１本以上の直交周波数分割多重（ＯＦＤＭ）信号発生モジュール８５７および１つ以上のアンテナ８８０を含む。
【０１３１】
ｅＮＢ８６０は、ＤＬ物理チャネルを表すベースバンド信号を発生させる。コードワード８４１は、１つ以上のスクランブリング・モジュール８４３へ随意的に供給される。コードワード８４１は、図７に関連して先に記載されたように発生する。例えば、コードワード８４１は、ＤＣＩを含む処理（例えば、符号化）データであり、ＤＣＩは、ＤＭＲＳ構成１０７をＵＥ１０２に指示するためのシグナリングを含む。ＤＣＩおよびＤＭＲＳ構成１０７は、図２に関連して先に記載されたように確定される。
【０１３２】
コードワード８４１は、スクランブリング・モジュール８４３へ（随意的に）供給される。例えば、１つ以上のスクランブリング・モジュール８４３は、特定のセルに固有のスクランブル系列を用いてコードワード８４１をスクランブルする。
【０１３３】
（随意的にスクランブルされた）コードワード８４１は、１つ以上のインターリーバ８４５へ随意的に供給される。１つ以上のインターリーバ８４５は、コードワード８４１を随意的にシャッフルする。留意すべきは、１つ以上のインターリーバ８４５が異なる順序で図８に示される信号経路に置かれてもよいことである。
【０１３４】
（随意的にインタリーブおよび／またはスクランブルされた）コードワード８４１は、１つ以上の変調マッパ８４７へ供給される。１つ以上の変調マッパ８４７は、特定の変調方式（例えば、ＱＡＭ、６４−ＱＡＭ、２相位相シフトキーイング（ＢＰＳＫ：Ｂｉｎａｒｙ  Ｐｈａｓｅ  Ｓｈｉｆｔ  Ｋｅｙｉｎｇ）、ＱＰＳＫなど）に基づいてコードワード８４１をコンステレーション・ポイントへマッピングする。変調マッパ８４７は、複素数値の変調シンボルを発生させる。
【０１３５】
（変調された）コードワード８４１（例えば、複素数値の変調シンボル）は、レイヤ・マッパ８４９へ随意的に供給される。レイヤ・マッパ８４９は、コードワード８４１を（例えば、１つ以上の空間ストリーム上での送信のために）１つ以上のレイヤへ随意的にマッピングする。
【０１３６】
（随意的にレイヤ・マッピングされた）コードワード８４１は、プリコーディング・モジュール８５１へ随意的に供給される。プリコーディング・モジュール８５１は、アンテナ８８０ポート上での送信のために各レイヤ上で随意的にコードワード８４１（例えば、複素数値の変調シンボル）のプリコーディングを行う。
【０１３７】
（随意的にプリコーディングが行われた）コードワード８４１は、１つ以上のリソース要素マッパ８５３へ供給される。リソース要素マッパ８５３は、コードワード８４１を１つ以上のリソース要素へマッピングする。上記のように、リソース要素は、情報が運ばれる（例えば、送信および／または受信される）ある量の時間および周波数リソースである。例えば、１つのリソース要素は、個々の時間にわたるＯＦＤＭシンボル中の個々のサブキャリアとして定義される。
【０１３８】
いくつかの構成において、各リソース要素は、１つの変調シンボルを運ぶ。それに応じて、１つのリソース要素で運ばれるビット数が変化する。例えば、各ＢＰＳＫシンボルは、１ビットの情報を運ぶ。従って、１つのＢＰＳＫシンボルを運ぶ各リソース要素は、１ビットを運ぶ。各ＱＰＳＫシンボルは、２ビットの情報を運ぶ。従って、１つのＱＰＳＫシンボルを運ぶ各リソース要素は、２ビットの情報を運ぶ。同様に、１つの１６−ＱＡＭシンボルを運ぶ１つのリソース要素は、４ビットの情報を運び、１つの６４−ＱＡＭシンボルを運ぶ１つのリソース要素は、６ビットの情報を運ぶ。
【０１３９】
（リソース・マッピングされた）コードワード８４１は、１つ以上のＯＦＤＭ信号発生器８５７へ供給される。１つ以上のＯＦＤＭ信号発生器８５７は、送信のために（リソース・マッピングされた）コードワード８４１に基づいてＯＦＤＭ信号を発生させる。１つ以上のＯＦＤＭ信号発生器８５７によって発生したＯＦＤＭ信号は、１つ以上のＵＥ１０２への送信のために１つ以上のアンテナ８８０（例えば、アンテナポート）へ供給される。
【０１４０】
より一般的には、ｅＮＢ８６０によって発生したコードワード８４１は、スクランブルおよび／またはインタリーブされる。随意的なスクランブルおよび／またはインタリーブ後に、コードワード８４１は、変調シンボルへマッピングされる。各シンボルは、次にリソース要素に読み込まれる。
【０１４１】
留意すべきは、ＰＤＳＣＨと関連するＵＥ固有の参照信号（例えば、ＤＭＲＳ）がアンテナ８８０ポート５、７、および／または８上で送信されることである。加えてまたは代わりに、ＰＤＳＣＨと関連するＵＥ固有の参照信号（例えば、ＤＭＲＳ）は、アンテナ８８０ポート
ｐ＝７，８，．．．，ｖ＋６
上で送信されてもよく、ここで「ｐ」は、アンテナ８８０ポートであり、
ｖ
は、ＰＤＳＣＨの送信に用いられるレイヤの数である。
【０１４２】
図９は、レガシーＤＭＲＳ選択９６７ａおよび開示されるシステムおよび方法による動的なＤＭＲＳ選択９６７ｂを示すフロー図である。レガシーＤＭＲＳ選択９６７ａの例は、リリース１１に従って動作するｅＮＢ１６０によるＤＭＲＳ発生を示す。
【０１４３】
ｅＮＢ１６０は、ＤＬ−ＣＳＩを確定する（ステップ９０２ａ）。一実装において、ｅＮＢ１６０は、ＵＥ１０２がＤＬ−ＣＳＩを測定することを可能にするためにＵＥ１０２へ参照信号を送信する。例えば、参照信号は、チャネル状態情報参照信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）である。ＵＥ１０２は、送信されたＣＳＩ−ＲＳを受信して、ＤＬ−ＣＳＩを測定する。測定されたＤＬ−ＣＳＩは、フィードバック経由で上りリンク情報（ＵＣＩ：ｕｐｌｉｎｋ  ｃｏｎｔｒｏｌ  ｉｎｆｏｒｍａｔｉｏｎ）の一部としてｅＮＢ１６０へ返送される。
【０１４４】
ｅＮＢ１６０およびＵＥ１０２が時分割多重（ＴＤＤ：ｔｉｍｅ  ｄｉｖｉｓｉｏｎ  ｄｕｐｌｅｘ）を用いて通信する別の例では、ｅＮＢ１６０およびＵＥ１０２は、送信のために同じスペクトルを共有する。この場合、ＤＬ−ＣＳＩは、ｅＮＢ１６０で直接に測定される。例えば、ＵＥ１０２は、ｅＮＢ１６０によって受信される参照信号（例えば、サウンディング参照信号（ＳＲＳ：ｓｏｕｎｄｉｎｇ  ｒｅｆｅｒｅｎｃｅ  ｓｉｇｎａｌ））を送信する。ｅＮＢ１６０は、受信されたＳＲＳからＤＬ−ＣＳＩを測定する。
【０１４５】
ｅＮＢ１６０は、送信のためのＭＣＳ、ＮＰＲＢおよびＴＢＳを確定する（ステップ９０４ａ）。これは、図２に関連して先に記載されたように達成される。送信は、ＤＬ送信（例えば、ＰＤＳＣＨ）またはＵＬ送信（例えば、ＰＵＳＣＨ）のいずれであってもよい。
【０１４６】
ｅＮＢ１６０は、ＤＭＲＳ構成１０７を確定する（ステップ９０６ａ）。ＤＭＲＳ構成１０７は、ＤＭＲＳパターン、ＤＭＲＳ系列、疑似乱数発生器アルゴリズム、およびスクランブル系列のうちの１つ以上を含む。留意すべきは、レガシーＤＭＲＳ選択９６７ａでは、ＤＭＲＳ構成１０７確定９０６ａがＭＣＳまたはＮＰＲＢには基づかないことである。
【０１４７】
ＭＣＳ、ＮＰＲＢおよびＴＢＳを確定すると（ステップ９０４ａ）、ｅＮＢ１６０は、ＭＣＳ、ＮＰＲＢおよびＴＢＳに基づいてＤＣＩおよびＰＤＣＣＨを発生させる（ステップ９０８ａ）。例えば、ＤＣＩ（例えば、ＤＬ割り当てＤＣＩまたはＵＬ割り当てＤＣＩ）は、ＰＤＣＣＨ（またはｅＰＤＣＣＨ）送信で運ばれる。ｅＮＢ１６０は、ＭＣＳ、ＮＰＲＢおよびＴＢＳに従ってＰＤＣＣＨ送信（およびＤＣＩ）を符号化し変調して、ＵＥ１０２へＰＤＣＣＨ送信を送る。
【０１４８】
そのうえ、ＭＣＳ、ＮＰＲＢおよびＴＢＳを確定し（ステップ９０４ａ）、ＤＭＲＳ構成１０７を確定すると（ステップ９０６ａ）、ｅＮＢ１６０は、ＭＣＳ、ＮＰＲＢ、ＴＢＳおよびＤＭＲＳ構成１０７に基づいてＰＤＳＣＨ送信を発生させる（ステップ９１０ａ）。例えば、ｅＮＢ１６０は、ＭＣＳ、ＮＰＲＢ、ＴＢＳおよびＤＭＲＳ構成１０７に従ってＰＤＳＣＨ送信を符号化して変調する。
【０１４９】
加えて、ＭＣＳ、ＮＰＲＢおよびＴＢＳを確定し（ステップ９０４ａ）、ＤＭＲＳ構成１０７を確定すると（ステップ９０６ａ）、ｅＮＢ１６０は、ＭＣＳ、ＮＰＲＢ、ＴＢＳおよびＤＭＲＳ構成１０７に基づいてＤＭＲＳを発生させる（ステップ９１２ａ）。例えば、ｅＮＢ１６０は、ＭＣＳ、ＮＰＲＢ、ＴＢＳおよびＤＭＲＳ構成１０７に従ってＤＭＲＳを符号化して変調する。
【０１５０】
動的なＤＭＲＳ選択９６７ｂの例は、本明細書に記載されるシステムおよび方法によるｅＮＢ１６０を用いたＤＭＲＳの発生を示す。動的なＤＭＲＳ選択９６７ｂでは、ｅＮＢ１６０は、ＭＣＳに基づいてＤＭＲＳ構成１０７を発生・確定し、ＤＭＲＳ構成を物理リソース要素へマッピングする。動的なＤＭＲＳ選択９６７ｂの例は、本明細書に記載されるシステムおよび方法によるＤＭＲＳとＭＣＳとの間の依存性を示す。
【０１５１】
ｅＮＢ１６０は、ＤＬ−ＣＳＩを確定する（ステップ９０２ｂ）。これは、上記のように達成される。
【０１５２】
ｅＮＢ１６０は、送信のためのＭＣＳ、ＮＰＲＢおよびＴＢＳを確定する（ステップ９０４ｂ）。これは、図２に関連して先に記載されたように達成される。送信は、ＤＬ送信（例えば、ＰＤＳＣＨ）またはＵＬ送信（例えば、ＰＵＳＣＨ）のいずれであってもよい。
【０１５３】
ｅＮＢ１６０は、ＤＭＲＳ構成１０７を確定する（ステップ９０６ｂ）。例えば、ｅＮＢ１６０は、ＭＣＳに基づいてＤＭＲＳ構成１０７を確定する（ステップ９０６ｂ）。ｅＮＢ１６０は、また、ＮＰＲＢ、もしくはＭＣＳとＮＰＲＢとの組み合わせに基づいてＤＭＲＳ構成も確定してもよい（ステップ９０６ｂ）。一実装において、ｅＮＢ１６０は、上の表（５）に示されるようにＭＣＳおよびＮＰＲＢに基づいてＩＤＭＲＳを最初に確定する。ｅＮＢ１６０は、次に上の表（６）に示されるようにＩＤＭＲＳに基づいてＤＭＲＳ構成１０７を確定する。別の実装では、ｅＮＢ１６０は、上の表（４）に示されるようにＭＣＳおよびＮＰＲＢから直接的にＤＭＲＳ構成１０７を確定する。留意すべきは、動的なＤＭＲＳ選択９６７ｂでは、ＤＭＲＳ構成１０７がＭＣＳおよび／またはＮＰＲＢへマッピングされる（例えば、それらと関連付けられる）ことである。
【０１５４】
ＭＣＳ、ＮＰＲＢおよびＴＢＳを確定し（ステップ９０４ｂ）、ＤＭＲＳ構成１０７を確定すると（ステップ９０６ｂ）、ｅＮＢ１６０は、ＭＣＳ、ＮＰＲＢ、ＴＢＳおよびＤＭＲＳ構成１０７に基づいてＤＣＩおよびＰＤＣＣＨを発生させる（ステップ９０８ｂ）。一実装において、ＤＣＩは、ＵＥ１０２にＤＭＲＳ構成１０７を明示的に指示するためのＩＤＭＲＳを含む。別の実装では、ＤＭＲＳ構成１０７は、ＤＣＩに含まれるＩＭＣＳおよびＮＰＲＢを通じてＵＥ１０２に暗黙的に指示される。ＤＣＩ（例えば、ＤＬ割り当てＤＣＩまたはＵＬ割り当てＤＣＩ）は、ＰＤＣＣＨ（またはｅＰＤＣＣＨ）送信で運ばれる。ｅＮＢ１６０は、ＭＣＳ、ＮＰＲＢおよびＴＢＳに従ってＰＤＣＣＨ送信（およびＤＣＩ）を符号化し変調して、ＵＥ１０２へＰＤＣＣＨ送信を送る。
【０１５５】
そのうえ、ＭＣＳ、ＮＰＲＢおよびＴＢＳを確定し（ステップ９０４ｂ）、ＤＭＲＳ構成１０７を確定すると（ステップ９０６ｂ）、ｅＮＢ１６０は、ＭＣＳ、ＮＰＲＢ、ＴＢＳおよびＤＭＲＳ構成１０７に基づいてＰＤＳＣＨ送信を発生させる（ステップ９１０ｂ）。例えば、ｅＮＢ１６０は、ＭＣＳ、ＮＰＲＢ、ＴＢＳおよびＤＭＲＳ構成１０７に従ってＰＤＳＣＨ送信を符号化して変調する。留意すべきは、動的ＤＭＲＳ選択９６７ｂではＤＭＲＳ構成１０７がＭＣＳおよびＮＰＲＢに基づくことである。
【０１５６】
加えて、ＭＣＳ、ＮＰＲＢおよびＴＢＳを確定し（ステップ９０４ｂ）、ＤＭＲＳ構成１０７を確定すると（ステップ９０６ｂ）、ｅＮＢ１６０は、ＭＣＳ、ＮＰＲＢ、ＴＢＳおよびＤＭＲＳ構成１０７に基づいてＤＭＲＳを発生させる（ステップ９１２ｂ）。例えば、ｅＮＢ１６０は、ＭＣＳ、ＮＰＲＢ、ＴＢＳおよびＤＭＲＳ構成１０７に従ってＤＭＲＳを符号化して変調する。留意すべきは、図９に関連して記載される機能または手順のうちの１つ以上が、いくつかの実装ではｅＮＢ１６０に含まれる１つ以上のモジュールとして付加的または択一的に実装されることである。例えば、ｅＮＢ１６０は、ＤＬ−ＣＳＩを確定する（ステップ９０２ｂ）ための回路素子、ＭＣＳ、リソースブロックおよびＴＢＳを確定する（ステップ９０４ｂ）ための回路素子、ＤＭＲＳ構成を確定する（ステップ９０６ｂ）ための回路素子、ＤＣＩおよびＰＤＣＣＨを発生させる（ステップ９０８ｂ）ための回路素子、ＰＤＳＣＨを発生させる（ステップ９１０ｂ）ための回路素子、およびＤＭＲＳを発生させる（ステップ９１２ｂ）ための回路素子のうちの１つ以上を含む。
【０１５７】
図１０は、ｅＮＢ１６０によってＤＭＲＳ構成１０７を確定するための方法１０００ａ、１０００ｂの実装を示すフロー図である。１つの方法１０００ａでは、ｅＮＢ１６０は、ＩＤＭＲＳに基づいてＤＭＲＳ構成１０７を確定する。例えば、ｅＮＢ１６０は、ＩＭＣＳおよびＮＰＲＢを確定する（ステップ１００２ａ）。これは、図２に関連して先に記載されたように達成される。例えば、ＩＭＣＳは、ＵＥ１０２から受信されたＤＬ−ＣＳＩに基づく。加えてまたは代わりに、ｅＮＢ１６０は、ＤＬフレーム誤り率およびサービス品質（ＱｏＳ）を含む１つ以上の他の因子に基づいてＩＭＣＳを確定する。ＮＰＲＢは、ＵＥ１０２への送信（例えば、ＤＬ送信またはＵＬ送信）に対して割り当てられたリソースブロックの数に対応する。
【０１５８】
ｅＮＢ１６０は、ＩＤＭＲＳを確定する（ステップ１００４ａ）。いくつか実装において、ＩＤＭＲＳは、図２に関連して先に記載されたように、ルックアップ表中のエントリとしてＩＭＣＳおよびＮＰＲＢを用いて確定される。ＩＭＣＳおよびＮＰＲＢは、表のエントリがＩＤＭＲＳであるルックアップ表の行および列を指示する。例えば、ＩＤＭＲＳは、上の表（５）に示されるようにＩＭＣＳおよびＮＰＲＢへマッピングされる。
【０１５９】
ｅＮＢ１６０は、ＤＭＲＳ構成１０７を確定する（ステップ１００６ａ）。例えば、ＩＤＭＲＳを確定すると（ステップ１００４ａ）、ｅＮＢ１６０は、上の表（６）に示されるようにＤＭＲＳ構成１０７を確定する（ステップ１００６ａ）。
【０１６０】
別の方法１０００ｂでは、ｅＮＢ１６０は、ＩＤＭＲＳを用いることなくＩＭＣＳおよびＮＰＲＢに基づいてＤＭＲＳ構成１０７を確定する。例えば、ｅＮＢ１６０は、ＩＭＣＳおよびＮＰＲＢを確定する（ステップ１００２ｂ）。これは、上記のように達成される。
【０１６１】
ｅＮＢ１６０は、ＤＭＲＳ構成１０７を確定する（ステップ１００４ｂ）。一実装において、ＤＭＲＳ構成１０７は、図２に関連して先に記載されたようにルックアップ表中のエントリとしてＩＭＣＳおよびＮＰＲＢを用いて確定される（ステップ１００４ｂ）。ＩＭＣＳおよびＮＰＲＢは、表のエントリがＤＭＲＳ構成１０７であるルックアップ表の行および列を指示する。例えば、ＤＭＲＳ構成１０７は、上の表（４）に示されるようにＩＭＣＳおよびＮＰＲＢへマッピングされる。
【０１６２】
図１１は、ＵＥ１０２によってＤＭＲＳ構成１３０を確定するための方法１１００ａ、１１００ｂの実装を示すフロー図である。１つの方法１１００ａでは、ＵＥ１０２は、ＩＤＭＲＳに基づいてＤＭＲＳ構成１３０を確定する。例えば、ＵＥ１０２は、ＤＣＩを受信する（ステップ１１０２ａ）。ＵＥ１０２は、ｅＮＢ１６０からＤＣＩを受信する（ステップ１１０２ａ）。ＤＬ送信の場合、ＤＣＩは、ＤＬ割り当てＤＣＩであり、ＰＤＳＣＨ送信とともに受信される。ＵＬ送信の場合、ＤＣＩは、ＵＬ割り当てＤＣＩである。
【０１６３】
ＵＥ１０２は、ＩＭＣＳおよびＮＰＲＢを確定する（ステップ１１０４ａ）。これは、図３と関連して先に記載されたように達成される。例えば、ＵＥ１０２は、ＤＣＩ中のＭＣＳフィールドを読み取ることによってＩＭＣＳを確定する（ステップ１１０４ａ）。ＵＥ１０２は、ＤＣＩ中のリソース割り当てフィールドからＮＰＲＢも確定する（ステップ１１０４ａ）。
【０１６４】
ＵＥ１０２は、ＩＤＭＲＳを確定する（ステップ１１０６ａ）。一実装において、ＩＤＭＲＳは、図２に関連して先に記載されたようにルックアップ表中のエントリとしてＩＭＣＳおよびＮＰＲＢを用いて確定される。ＩＭＣＳおよびＮＰＲＢは、表のエントリがＩＤＭＲＳであるルックアップ表の行および列を指示する。例えば、ＩＤＭＲＳは、上の表（５）に示されるようにＩＭＣＳおよびＮＰＲＢへマッピングされる。
【０１６５】
別の実装では、ＤＣＩは、ＩＤＭＲＳを含むＩＤＭＲＳフィールドを含む。それゆえに、この実装では、ＵＥ１０２は、ＤＣＩから直接的にＩＤＭＲＳを確定する（ステップ１１０６ａ）。
【０１６６】
ＵＥ１０２は、ＤＭＲＳ構成１３０を確定する（ステップ１１０８ａ）。例えば、ＩＤＭＲＳを確定すると（ステップ１１０６ａ）、ＵＥ１０２は、上の表（６）に示されるようにＤＭＲＳ構成１３０を確定する（ステップ１１０８ａ）。
【０１６７】
別の方法１１００ｂでは、ＵＥ１０２は、ＩＤＭＲＳを用いることなくＩＭＣＳおよびＮＰＲＢに基づいてＤＭＲＳ構成１３０を確定する。例えば、ＵＥ１０２は、ＤＣＩを受信する（ステップ１１０２ｂ）。これは、上記のように達成される。
【０１６８】
ＵＥ１０２は、ＩＭＣＳおよびＮＰＲＢを確定する（ステップ１１０４ｂ）。これは、上記のように達成される。
【０１６９】
ＵＥ１０２は、ＤＭＲＳ構成１３０を確定する（ステップ１１０６ｂ）。一実装において、ＤＭＲＳ構成１３０は、ルックアップ表中のエントリとしてＩＭＣＳおよびＮＰＲＢを用いて確定される（ステップ１１０６ｂ）。ＩＭＣＳおよびＮＰＲＢは、表のエントリがＤＭＲＳ構成１３０であるルックアップ表の行および列を指示する。例えば、ＤＭＲＳ構成１３０は、上の表（４）に示されるようにＩＭＣＳおよびＮＰＲＢへマッピングされる。
【０１７０】
図１２は、ｅＮＢ１２６０において利用される様々なコンポーネントを示す。図１２に関連して記載される１２６０は、図１に関連して記載されたｅＮＢ１６０に従って実装される。ｅＮＢ１２６０は、ｅＮＢ１２６０のオペレーションを制御するプロセッサ１２８１を含む。プロセッサ１２８１は、中央処理装置（ＣＰＵ：ｃｅｎｔｒａｌ  ｐｒｏｃｅｓｓｉｎｇ  ｕｎｉｔ）とも呼ばれる。メモリ１２８７は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１２８１に命令１２８３ａおよびデータ１２８５ａを供給する。メモリ１２８７の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１２８３ｂおよびデータ１２８５ｂは、プロセッサ１２８１にも存在する。プロセッサ１２８１に読み込まれた命令１２８３ｂおよび／またはデータ１２８５ｂは、プロセッサ１２８１による実行または処理のために読み込まれた、メモリ１２８７からの命令１２８３ａおよび／またはデータ１２８５ａも含んでよい。命令１２８３ｂは、上記の方法２００の１つ以上を実装するためにプロセッサ１２８１によって実行される。
【０１７１】
ｅＮＢ１２６０は、データの送受信を可能にするための１つ以上の送信機１２１７および１つ以上の受信機１２７８が入った筺体も含む。送信機（単数または複数）１２１７および受信機（単数または複数）１２７８は、１つ以上のトランシーバ１２７６に組み合わされてもよい。１つ以上のアンテナ１２８０ａ〜ｎは、筺体に取り付けられ、トランシーバ１２７６に電気的に結合される。
【０１７２】
ｅＮＢ１２６０の様々なコンポーネントは、データバスに加えて、電力バス、制御信号バスおよびステータス信号バスを含む、バスシステム１２８９によって結合される。しかしながら、明確さのために、図１２では様々なバスがバスシステム１２８９として示される。ｅＮＢ１２６０は、信号処理用のデジタル信号プロセッサ（ＤＳＰ：ｄｉｇｉｔａｌ  ｓｉｇｎａｌ  ｐｒｏｃｅｓｓｏｒ）１２９１も含んでよい。ｅＮＢ１２６０は、ｅＮＢ１２６０の機能へのユーザ・アクセスを提供する通信インターフェース１２９３も含んでよい。図１２に示されるｅＮＢ１２６０は、具体的なコンポーネントのリスティングではなく、機能ブロック図である。
【０１７３】
図１３は、ＵＥ１３０２において利用される様々なコンポーネントを示す。図１３に関連して記載されるＵＥ１３０２は、図１に関連して記載されたＵＥ１０２に従って実装される。ＵＥ１３０２は、ＵＥ１３０２のオペレーションを制御するプロセッサ１３８１を含む。プロセッサ１３８１は、中央処理装置（ＣＰＵ）とも呼ばれる。メモリ１３８７は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１３８１に命令１３８３ａおよびデータ１３８５ａを供給する。メモリ１３８７の一部分は、不揮発性ランダムアクセスメモリ（ＮＶＲＡＭ）も含んでよい。命令１３８３ｂおよびデータ１３８５ｂは、プロセッサ１３８１にも存在する。プロセッサ１３８１に読み込まれた命令１３８３ｂおよび／またはデータ１３８５ｂは、プロセッサ１３８１による実行または処理のために読み込まれた、メモリ１３８７からの命令１３８３ａおよび／またはデータ１３８５ａも含んでよい。命令１３８３ｂは、上記の方法３００のうちの１つ以上を実装するためにプロセッサ１３８１によって実行される。
【０１７４】
ＵＥ１３０２は、データの送受信を可能にするための１つ以上の送信機１３５８および１つ以上の受信機１３２０が入った筺体も含む。送信機（単数または複数）１３５８および受信機（単数または複数）１３２０は、１つ以上のトランシーバ１３１８に組み合わされてもよい。１つ以上のアンテナ１３２２ａ〜ｎは、筺体に取り付けられ、トランシーバ１３１８に電気的に結合される。
【０１７５】
ＵＥ１３０２の様々なコンポーネントは、データバスに加えて、電力バス、制御信号バスおよびステータス信号バスを含む、バスシステム１３８９によって結合される。しかしながら、明確さのために、図１３では様々なバスがバスシステム１３８９として示される。ＵＥ１３０２は、信号処理用のデジタル信号プロセッサ（ＤＳＰ）１３９１も含んでよい。ＵＥ１３０２は、ＵＥ１３０２の機能へのユーザ・アクセスを提供する通信インターフェース１３９３も含んでよい。図１３に示されるＵＥ１３０２は、具体的なコンポーネントのリスティングではなく、機能ブロック図である。
【０１７６】
図１４は、ＤＭＲＳ選択のためのシステムおよび方法が実装されたｅＮＢ１４６０の一構成を示すブロック図である。ｅＮＢ１４６０は、送信手段１４１７、受信手段１４７８および制御手段１４８２を含む。送信手段１４１７、受信手段１４７８および制御手段１４８２は、上の図２、図７、図８、図９、図１０および図１２に関連して記載された機能の１つ以上を行うように構成される。上の図１２は、図１４の具体的な装置構造の一例を示す。図２、図７、図８、図９、図１０および図１２の機能の１つ以上を実現するために他の様々な構造が実装されてもよい。例えば、ＤＳＰがソフトウェアによって実現されてもよい。
【０１７７】
図１５は、ＤＭＲＳ選択のための方法が実装されたＵＥ１５０２の一構成を示すブロック図である。ＵＥ１５０２は、送信手段１５５８、受信手段１５２０および制御手段１５２４を含む。送信手段１５５８、受信手段１５２０および制御手段１５２４は、上の図３、図１１および図１３に関連して記載された機能の１つ以上を行うように構成される。上の図１３は、図１５の具体的な装置構造の一例を示す。図３、図１１および図１３の機能の１つ以上を実現するために他の様々な構造が実装されてもよい。例えば、ＤＳＰがソフトウェアによって実現されてもよい。
【０１７８】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、電気的消去可能なプログラマブルリードオンリーメモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、コンパクトディスク・リードオンリーメモリ（ＣＤ−ＲＯＭ：Ｃｏｍｐａｃｔ  Ｄｉｓｃ  Ｒｅａｄ−Ｏｎｌｙ  Ｍｅｍｏｒｙ）、または他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１７９】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１８０】
本明細書に開示される方法のそれぞれは、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特定のステップおよび／または動作の順序および／または使用は、特許請求の範囲から逸脱することなく修正されてもよい。
【０１８１】
当然のことながら、特許請求の範囲は、先に示された通りの構成および構成要素には限定されない。特許請求の範囲から逸脱することなく、本明細書に記載される配置、オペレーション、ならびにシステム、方法および装置の詳細に様々な修正、変更および変形がなされてもよい。
【図１】
2016518035.tif 000019
【図２】
2016518035.tif 000020
【図３】
2016518035.tif 000021
【図４】
2016518035.tif 000022
【図５】
2016518035.tif 000023
【図６】
2016518035.tif 000024
【図７】
2016518035.tif 000025
【図８】
2016518035.tif 000026
【図９】
2016518035.tif 000027
【図１０】
2016518035.tif 000028
【図１１】
2016518035.tif 000029
【図１２】
2016518035.tif 000030
【図１３】
2016518035.tif 000031
【図１４】
2016518035.tif 000032
【図１５】
2016518035.tif 000033
【国際調査報告】
2016518035.tif 000034
2016518035.tif 000035